(57)【特許請求の範囲】
【請求項１】
器物を清浄化するための固形制御放出組成物であって、
炭酸塩アルカリ性源と、
前記組成物の２０重量％未満を構成する少なくとも１つの多糖類材料と、
活性成分清浄化剤と、
前記組成物の１重量％〜２０重量％の水と、を含み、
前記固形物が、均質な複数回使用組成物であり、遅延放出化学物質により被包されておらず、
前記少なくとも１つの多糖類材料の２５℃における１重量％〜２重量％水溶液粘度が１ｃＰ〜５０００ｃＰであり、置換度（Ｄ．Ｓ．）が０〜３である、組成物。
【請求項２】
前記炭酸塩アルカリ性源が、アルカリ金属炭酸塩である、請求項１に記載の組成物。
【請求項３】
前記アルカリ金属炭酸塩アルカリ性源が、炭酸ナトリウムである、請求項２に記載の組成物。
【請求項４】
前記少なくとも１つの多糖類材料が、前記組成物の１５重量％未満を構成する、請求項１〜３のいずれか一項に記載の組成物。
【請求項５】
前記少なくとも１つの多糖類材料が、低、中、または高分子量の多糖類であり、及び／又は前記多糖類材料の重合度が２００〜１５，０００である、請求項１〜４のいずれか一項に記載の組成物。
【請求項６】
前記多糖類材料の前記Ｄ．Ｓ．が、カルボキシメチル、メチル、エチル、ヒドロキシエチル、ヒドロキシプロピル、ヒドロキシプロピルメチル、アセテート、トリアセテート、アセテート−プロピオネート、および／またはアセテート−ブチレートの一つ又は複数の基で置換されたセルロース分子のグルコース単位の数によって測定される、請求項１に記載の組成物。
【請求項７】
前記多糖類材料が、カルボキシメチルセルロース（ＣＭＣ）、ヒドロキシエチルセルロース（ＨＥＣ）、ヒドロキシプロピルセルロース（ＨＰＣ）、ヒドロキシプロピルメチルセルロース（ＨＰＭＣ）、メチルセルロース（ＭＣ）、酢酸セルロース、三酢酸セルロース、キサンタン、およびそれらの組み合わせのうちの一つ又は複数である、請求項１〜６のいずれか一項に記載の組成物。
【請求項８】
前記多糖類材料が、カルボキシメチルセルロース（ＣＭＣ）および／またはキサンタンを含む、請求項１〜７のいずれか一項に記載の組成物。
【請求項９】
カルボキシメチルセルロース（ＣＭＣ）とキサンタンの比が、１：１〜３０：１である、請求項８に記載の組成物。
【請求項１０】
前記活性成分清浄化剤が、界面活性剤である、請求項１〜９のいずれか一項に記載の組成物。
【請求項１１】
前記界面活性剤が、非イオン性界面活性剤である、請求項１０に記載の組成物。
【請求項１２】
前記固形制御放出組成物が、少なくとも２５グラムの質量を有する複数回使用組成物である、請求項１〜１１のいずれか一項に記載の組成物。
【請求項１３】
前記固形制御放出組成物が、カプセル、錠剤、コーティング錠剤、パック、ブリックまたはブロックである、請求項１〜１２のいずれか一項に記載の組成物。
【請求項１４】
前記炭酸塩アルカリ性源は、前記固形組成物の４０重量％〜９５重量％を構成し、前記多糖類材料は、前記固形組成物の０．０１重量％〜１５重量％を構成し、前記活性成分清浄化剤は、前記固形組成物の０．１重量％〜４０重量％を構成し、かつ任意で、０．１重量％〜５０重量％の追加の機能性成分をさらに含み、前記追加の機能性成分は、消泡剤、再付着防止剤、スケール防止剤、漂白剤、溶解度調整剤、分散剤、金属保護剤、安定剤、腐食防止剤、追加の金属イオン封鎖剤および／またはキレート剤、しきい値抑制剤、結晶調整剤、香料および／または染料、ハイドロトロープまたはカプラー、緩衝液、及び溶媒のうちの一つ又は複数であり、任意に、前記組成物はリン酸塩を含まない、請求項１〜１３のいずれか一項に記載の組成物。
【請求項１５】
前記固形組成物は、二相固形物であり、第１の相は、前記多糖材料、炭酸塩アルカリ性源、および活性成分清浄化剤を含む均質な固形物であり、前記第２の相は、前記炭酸塩アルカリ性源および活性成分清浄化剤を含む均質な固形物である、請求項１〜１４のいずれか一項に記載の組成物。
【請求項１６】
前記第１の相および／または前記第２の相は、追加の機能性成分をさらに含む、請求項１５に記載の組成物。
【請求項１７】
重量基準での前記第１の相と前記第２の相の比は、１０：１〜１：１０である、請求項１５または１６に記載の組成物。
【請求項１８】
請求項１〜１７のいずれか一項に記載の固形制御放出組成物を分配する方法であって、
前記固形組成物を水源と接触させて、前記組成物の使用溶液を生成することと、
汚れを除去および／または可溶化するのに十分な時間、７〜１３のｐＨで器物を前記使用溶液と接触させることと、を含む、方法。
【請求項１９】
自動食器洗浄環境で器物を清浄化するためのシステムであって、
前記システムは固形制御放出組成物を含み、前記固形制御放出組成物は、炭酸塩アルカリ性源と、前記組成物の２０重量％未満を構成する少なくとも１つの多糖類材料と、１重量％〜２０重量％の水と、界面活性剤とを含み、
前記固形組成物は、単一の固形組成物中に洗剤およびすすぎ助剤が提供されている均質な２−イン−１組成物であり、前記固形物は、複数回使用組成物であり、前記固形物は、遅延放出化学物質で被包されておらず、
前記システムは、分配システムを含んでおらず、
前記少なくとも１つの多糖類材料の２５℃における１重量％〜２重量％水溶液粘度が１ｃＰ〜５０００ｃＰであり、置換度（Ｄ．Ｓ．）が０〜３である、システム。
【請求項２０】
前記固形制御放出組成物が、カプセル、錠剤、コーティング錠、パック、ブリックまたはブロックである、請求項１９に記載のシステム。
【請求項２１】
前記炭酸塩アルカリ性源は、アルカリ金属炭酸塩であり、前記多糖類材料は、カルボキシメチルセルロース（ＣＭＣ）、ヒドロキシエチルセルロース（ＨＥＣ）、ヒドロキシプロピルセルロース（ＨＰＣ）、ヒドロキシプロピルメチルセルロース（ＨＰＭＣ）、メチルセルロース（ＭＣ）、酢酸セルロース、三酢酸セルロース、およびキサンタンのうちの一つ又は複数を含み、前記活性成分は、非イオン性界面活性剤、キレート剤および／または酵素である、請求項１９または２０に記載のシステム。
【請求項２２】
前記多糖類材料が、カルボキシメチルセルロース（ＣＭＣ）およびキサンタンを含み、カルボキシメチルセルロース（ＣＭＣ）とキサンタンとの比が、１：１〜３０：１である、請求項２１に記載のシステム。
【請求項２３】
前記少なくとも１つの多糖類材料が、前記組成物の１５重量％未満を構成する、請求項１９〜２２のいずれか一項に記載のシステム。
【請求項２４】
前記固形組成物が、圧縮固形物であり、前記自動食器洗浄環境は、消費者用または商業用食器洗浄機である、請求項１９〜２３のいずれか一項に記載のシステム。
【発明の詳細な説明】
【技術分野】
【０００１】
関連出願の相互参照
本出願は、米国特許法第１１９条の下で、２０１７年１１月１７日に出願された仮出願番号第６２／５８７８８０号および２０１７年４月２７日に出願された仮出願番号第６２／４９０９５９号の優先権を主張し、その両方とも「Ｓｌｏｗ  Ｒｅｌｅａｓｉｎｇ  Ａｓｈ  Ｂａｓｅｄ  Ｄｅｔｅｒｇｅｎｔ」と題されており、それらは全て参照によりその全体が本明細書に組み込まれる。
【０００２】
本発明は、食器洗浄用組成物または器物洗浄用組成物のための固形洗剤組成物および使用用途に関する。特に、例えば、各サイクルベースで化学薬品を分配するもの、または複数サイクル間にわたる放出速度の制御のために、ある用途においては洗浄レベルを制御するディスペンサー等、従来のディスペンサーを必要としない固形炭酸塩ベースの組成物。代わりに、固形洗剤組成物は、洗剤組成物の徐放または制御放出をもたらすように配合され、これには、組成物の放出を制御するための分配システムを必要としない。いくつかの実施形態では、固形洗剤組成物は、毎日の洗剤組成物として使用することができる。
【背景技術】
【０００３】
車両ケア、食品および飲料、器物洗浄、ならびに洗濯業界で使用される従来の洗剤としては、アルカリ性洗剤が挙げられる。アルカリ性洗剤、特に制度的および商業的使用を目的とした洗剤は、特定の用途で既存の無機塩および／または汚れを可溶化するために様々な活性構成成分を含むことができる。例えば、ディスペンサー内の洗剤組成物の交換および／またはディスペンサーの使用の発生を減らしながら、長期間持続し得る固形洗剤を提供するように設計された様々な分配システムおよび制御放出配合物の使用等、従来の洗剤を分配する様々な方法が公知である。
【０００４】
多くの標準的使用用途および従来の使用用途では、器物の清浄化方法は、少なくとも１つの洗浄サイクルおよび少なくとも１つのすすぎサイクルを含む少なくとも１つのサイクルを有する施設用器物洗浄機または消費者用食器洗浄機の洗浄槽での器物の洗浄を含む。サイクルの前または始めに、洗剤組成物が、器物洗浄機または食器洗浄機のディスペンサーから分配される。洗剤は、典型的には、サイクルの開始前または開始時に、施設の器物洗浄機または消費者用食器洗浄機の自動ディスペンサーまたは送達デバイスに加えられる。自動ディスペンサーとは、サイクルの指定された期間中に組成物が水との接触にのみ利用できるように、水との接触に対する組成物の可用性を制御するデバイスである。
【発明の概要】
【発明が解決しようとする課題】
【０００５】
当該技術分野では、設置面積の小さなキッチンおよび／または従来の固形洗剤ディスペンサーが利用できない他の場所で使用できる代替の、好ましくは制御放出洗剤組成物が必要である。したがって、制御放出洗剤組成物、すなわち、従来の固形ディスペンサーが利用できない場所で提供される固形洗剤のための組成物および方法を開発することが目的である。本発明に開示された組成物および方法の他の目的、利点、および特徴は、添付の図面と併せて以下の明細書から明らかになるであろう。
【課題を解決するための手段】
【０００６】
本組成物の利点は、ディスペンサーを必要とすることなく、固形制御放出アルカリ性洗剤組成物を提供できることである。実施形態では、自動ディスペンサーまたは送達デバイスが、固形組成物を分配する必要はない。炭酸塩アルカリ性源および少なくとも１つの多糖類材料を含む均質な固形組成物が、所望の制御放出をもたらすことは利点である。
【０００７】
一実施形態では、組成物、清浄化システム、およびそれらの使用方法。複数の実施形態が開示されているが、本発明のなお他の実施形態は、例証的な実施形態を図示および説明する以下の詳細な説明から、当業者には明らかになるであろう。したがって、図面および発明を実施するための形態は、本来は例示的であり、限定的ではないものとしてみなされるべきである。
【図面の簡単な説明】
【０００８】
【図１】施設内の器物洗浄機内に配置された固形制御放出錠剤のホルダーの例の斜視図を示す。
【図２】溶解する前に固形制御放出組成物が利用された総器物洗浄サイクルの平均数を、本組成物、方法およびシステムの実施形態により、錠剤中の多糖類材料として評価されたカルボキシメチルセルロース（ＣＭＣ）の濃度に対応させて示す。
【図３】溶解する前に、固形制御放出組成物が利用された総器物洗浄サイクルの平均数を、本組成物、方法およびシステムの実施形態により、錠剤中の多糖類材料として評価されたＣＭＣの濃度に対応させて示す。
【図４】本組成物、方法、およびシステムの実施形態により、多糖類材料として評価されたＣＭＣの濃度に応じた、様々な制御放出組成物の損失重量パーセント対器物洗浄サイクル数を示す。
【図５】本組成物、方法およびシステムの実施形態により、多糖類材料として評価されたキサンタンガムの濃度と比較して、溶解する前に固形制御放出組成物が利用された総器物洗浄サイクルの平均数を表す。
【図６】組成物、方法、およびシステムの実施形態により、多糖類材料として評価されたキサンタンガムの濃度に応じた、様々な固形制御放出組成物の損失重量パーセント対器物洗浄サイクル数を示す。
【図７】溶解する前に、固形制御放出組成物が利用された総器物洗浄サイクルの平均数を、本組成物の実施形態による錠剤中の多糖類材料の置換度および粘度と対応させて示す。
【図８】均質な錠剤と比較した二相錠剤の錠剤分配プロファイルを示す。これは、本組成物、方法およびシステムの実施形態による、異なる分配条件での経時的な固形組成物の濃度として示される。
【図９】本組成物、方法およびシステムの実施形態により分配された二相錠剤の両面の画像を示す。
【図１０】キサンタンガム多糖類材料と比較して、本組成物の実施形態により、錠剤中の多糖類材料として評価されたカルボキシメチルセルロース（ＣＭＣ）の濃度に対応させて、溶解する前に固形制御放出組成物が利用されたサイクル数を表す。
【図１１】本組成物の実施形態により、錠剤中のカルボキシメチルセルロース（ＣＭＣ）多糖類材料の置換度および粘度に対応させて、溶解する前に固形制御放出組成物が利用されたサイクル数を表す。
【０００９】
図面を参照して組成物、方法およびシステムの様々な実施形態を詳細に説明するが、いくつかの図においては、同様の参照番号は同様の部分を表す。様々な実施形態への言及は、組成物、方法およびシステムの範囲を限定するものでない。本明細書において提示される図は、様々な実施形態を限定するものではなく、組成物、方法およびシステムの例示的説明のために提示される。
【発明を実施するための形態】
【００１０】
本実施形態は、特定の固形組成物およびそれを分配することに限定するものではなく、これらは変化し得、かつ当業者によって理解される。本明細書に使用される全ての専門用語は、単に特定の実施形態を説明する目的のためであり、いかなる様式または範囲においても限定的であることを意図されないことがさらに理解されるべきである。例えば、本明細書および添付の特許請求の範囲において使用される場合、単数形「ａ」、「ａｎ」、および「ｔｈｅ」は、内容が別段明らかに示されない限り、複数形の指示対象を含み得る。さらに、全ての単位、接頭辞、および記号は、そのＳＩによって認められた形態で示され得る。本明細書内に列挙される数的範囲は、定義される範囲内の数を含む。本開示全体に、組成物、方法、およびシステムの様々な態様が範囲形式で提示されている。範囲形式における説明は、単に便宜および簡潔さのためであり、組成物、方法、およびシステムの範囲への堅固な限定として解釈されるべきではないことを理解されたい。したがって、範囲の説明は、その範囲内の全ての可能性のある部分範囲および個々の数値を具体的に開示しているとみなされるべきである（例えば、１〜５は、１、１．５、２、２．７５、３、３．８０、４、および５を含む）。
【００１１】
本発明の組成物、方法、およびシステムをより容易に理解し得るように、特定の用語をまず定義する。別段定義されない限り、本明細書で使用される全ての技術および科学用語は、本発明の実施形態が関連する技術分野の当業者によって一般に理解されるものと同じ意味を有する。本明細書に記載されるものと類似しているか、それらを修正したか、またはそれらと同等である多くの方法および材料が、過度の実験を伴うことなく、本発明の実施形態の実践に使用され得、好ましい材料および方法が、本明細書に記載される。本実施形態を説明し、請求する際に、以下に記載される定義に従って以下の専門用語が使用される。
【００１２】
「約」という用語は、本明細書で使用される場合、例えば、現実世界において濃縮物または使用溶液の作製に使用される典型的な測定および液体取扱い手順；それらの手順における不慮の誤差；組成物の作製または方法の実行に使用される成分の作製、供給源、または純度の違い等によって生じ得る、数量の変動を指す。用語「約」はまた、特定の初期混合物から得られる組成物に関する異なる平衡条件によって異なる量も包含する。「約」という用語により修飾されるか否かにかかわらず、特許請求の範囲は、その量の当量を含む。
【００１３】
「活性物質」または「活性物質パーセント」または「活性物質重量パーセント」または「活性物質濃度」は、本明細書において同義的に使用され、水または塩等の不活性成分を引いたパーセンテージとして表される清浄化に関与する成分の濃度を指す。
【００１４】
本明細書において使用する場合、用語「アルキル」または「アルキル基」は、１個以上の炭素原子を有する飽和炭化水素を指し、直鎖アルキル基（例えば、メチル、エチル、プロピル、ブチル、ペンチル、ヘキシル、ヘプチル、オクチル、ノニル、デシル等）、環式アルキル基（または「シクロアルキル」もしくは「脂環式」もしくは「炭素環式」基）（例えば、シクロプロピル、シクロペンチル、シクロヘキシル、シクロヘプチル、シクロオクチル等）、分岐鎖アルキル基（例えば、イソプロピル、ｔｅｒｔ−ブチル、ｓｅｃ−ブチル、イソブチル等）、ならびにアルキル置換アルキル基（例えば、アルキル置換シクロアルキル基およびシクロアルキル置換アルキル基）を含む。別段に特定されない限り、「アルキル」という用語は、「非置換アルキル」および「置換アルキル」の両方を含む。本明細書で使用されるとき、「置換アルキル」という用語は、炭化水素骨格の１つ以上の炭素の１つ以上の水素を置換する置換基を有するアルキル基を指す。そのような置換基には、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシカルボニル、アミノカルボニル、アルキルアミノカルボニル、ジアルキルアミノカルボニル、アルキルチオカルボニル、アルコキシル、ホスフェート、ホスホネート（ｐｈｏｓｐｈｏｎａｔｏ）、ホスフィネート（ｐｈｏｓｐｈｉｎａｔｏ）、シアノ、アミノ（アルキルアミノ、ジアルキルアミノ、アリールアミノ、ジアリールアミノ、およびアルキルアリールアミノを含む）、アシルアミノ（アルキルカルボニルアミノ、アリールカルボニルアミノ、カルバモイル、およびウレイドを含む）、イミノ、スルフヒドリル、アルキルチオ、アリールチオ、チオカルボキシレート、サルフェート、アルキルスルフィニル、スルホネート、スルファモイル、スルホンアミド、ニトロ、トリフルオロメチル、シアノ、アジド、複素環式、アルキルアリール、または芳香族（複素芳香族を含む）基が含まれ得る。
【００１５】
いくつかの実施形態では、置換アルキルには、複素環式基が含まれ得る。本明細書において使用する場合、用語「複素環式基」は、環内の炭素原子のうちの１個以上が炭素以外の元素、例えば、窒素、硫黄、または酸素である、炭素環式基に類似している閉環構造を含む。複素環式基は、飽和または不飽和であってよい。例示的な複素環式基としては、アジリジン、エチレンオキシド（エポキシド、オキシラン）、チイラン（エピスルフィド）、ジオキシラン、アゼチジン、オキセタン、チエタン、ジオキセタン、ジチエタン、ジチエト、アゾリジン、ピロリジン、ピロリン、オキソラン、ジヒドロフラン、およびフランが挙げられるが、これらに限定されない。
【００１６】
「再付着防止剤」は、清浄化されている物体上に再付着する代わりに、水中に汚れが懸濁されたままになるように補助する化合物を指す。再付着防止剤は、清浄化されている表面に、除去された汚れが再付着するのを減少させることを助けるために、本発明において有用である。
【００１７】
本明細書において使用する場合、「清浄化」という用語は、汚れ除去、漂白、微生物群の減少、およびそれらの任意の組み合わせを促進するか、またはそれらを助けるために使用される方法を指す。本明細書において使用する場合、「微生物（ｍｉｃｒｏｏｒｇａｎｉｓｍ）」という用語は、あらゆる非細胞生物または単細胞（群体を含む）生物を指す。微生物は、全ての原核生物を含む。微生物は、細菌（シアノバクテリアを含む）、胞子、地衣類、菌類、原虫、ビリノ、ウイロイド、ウイルス、ファージ、およびいくつかの藻類を含む。本明細書において使用する場合、「微生物（ｍｉｃｒｏｂｅ）」という用語は、微生物（ｍｉｃｒｏｏｒｇａｎｉｓｍ）と同義である。本特許出願の目的のため、良好な微生物の減少は、微生物群が少なくとも約５０％減少されるときに達成され、またはそれを著しく超えるものは、水による洗浄によって達成される。微生物群のより大きな減少は、より大きなレベルの保護を提供する。
【００１８】
本明細書において使用される場合、用語「ポリマー」は、一般に、これらに限定されないが、ホモポリマー、コポリマー、例えばブロック、グラフト、ランダムおよび交互コポリマー等、ターポリマー、ならびにより高次の「ｘ」量体を含み、それらの誘導体、組み合わせおよびブレンドをさらに含む。さらに、別段に具体的に限定されない限り、用語「ポリマー」は、これらに限定されないが、アイソタクチック、シンジオタクチックおよびランダム対称、ならびにそれらの組み合わせを含む、分子の全ての可能な異性体構成を含むものとする。さらに、別段に具体的に限定されない限り、用語「ポリマー」は、分子の全ての可能な幾何学構成を含むものとする。
【００１９】
本明細書において使用される場合、「実質的に含まない」という用語は、その構成成分を完全に欠くか、またはその構成成分が組成物の性能に影響を及ぼさない程度の少量の構成成分を有する組成物を指す。構成成分は、不純物としてまたは汚染物質として存在してもよく、０．５重量％未満でなければならない。別の実施形態では、構成成分の量は、０．１重量％未満であり、さらに別の実施形態では、構成成分の量は、０．０１重量％未満である。
【００２０】
「しきい値剤（ｔｈｒｅｓｈｏｌｄ  ａｇｅｎｔ）」という用語は、溶液に由来する硬水イオンの結晶化を阻害するが、その硬水イオンと特定の錯体を形成する必要がない化合物を指す。しきい値剤としては、限定されるものではないが、ポリアクリレート、ポリメタクリレート、オレフィン／マレイン酸コポリマー等が挙げられる。
【００２１】
本明細書で使用される場合、用語「器物」は、食器道具および調理道具、食器、ならびにシャワー、シンク、トイレ、浴槽、天板、窓、鏡、運搬用車両、および床等の他の硬表面を指す。本明細書で使用される場合、用語「器物洗浄」は、器物の洗浄、清浄化、またはすすぎを指す。器物は、プラスチック製のアイテムも指す。本組成物で清浄化され得るプラスチックの型としては、ポリプロピレンポリマー（ＰＰ）、ポリカーボネートポリマー（ＰＣ）、メラミンホルムアルデヒド樹脂またはメラミン樹脂（メラミン）、アクリロニトリル−ブタジエン−スチレンポリマー（ＡＢＳ）、およびポリスルホンポリマー（ＰＳ）を含むものが挙げられるが、これらに限定されない。本化合物および組成物を使用して清浄化され得る他の例示的なプラスチックとしては、ポリエチレンテレフタレート（ＰＥＴ）ポリスチレンおよびポリアミドが挙げられる。
【００２２】
用語「重量パーセント（ｗｅｉｇｈｔ  ｐｅｒｃｅｎｔ）」、「重量％（ｗｔ−％）」、「重量パーセント（ｐｅｒｃｅｎｔ  ｂｙ  ｗｅｉｇｈｔ）」、「重量％（％  ｂｙ  ｗｅｉｇｈｔ）」、およびそれらの変動は、本明細書で使用される場合、その物質の重量を組成物の総重量で除し、１００を乗じた物質の濃度を指す。本明細書で使用される場合、「パーセント」、「％」等は、「重量パーセント」、「重量％」等と同義であることが意図されることが理解される。
【００２３】
本方法、システムおよび組成物は、本明細書に記載の構成成分および成分、ならびに本明細書に記載の他の成分を含むか、それらから本質的になるか、またはそれらからなり得る。本明細書において使用する場合、「から本質的になる」は、追加のステップ、構成成分、または成分が、特許請求される方法、システム、および組成物の基本的特徴および新規特徴を物質的に変えない場合のみ、方法、システム、および組成物が追加のステップ、構成成分、または成分を含み得ることを指す。本明細書および添付の特許請求の範囲で使用される場合、用語「構成される」は、特定のタスクを行なうか、または特定の形態に適合するように構築もしくは構成されたシステム、装置、または他の構造を説明することに留意されたい。用語「構成される」は、配列され構成される、構築され配列される、適合され構成される、および適合され、構築され、製造され、配列される等の他の類似した語句と同じ意味で使用され得る。
【００２４】
固形組成物
ある態様では、本開示による固形器物洗浄組成物は、アルカリ金属アルカリ性源、多糖類材料、少なくとも１つの活性成分（例えば、清浄化および／またはすすぎのための界面活性剤）、および任意の追加の機能性成分の均質な組成物を含む、これらからなる、かつ／または本質的にこれらからなる。
【００２５】
一態様では、固形組成物は、その異なる（ｄｉｓｔｉｎｃｔ）または別個（ｓｅｐａｒａｔｅ）の構成成分を含まない。固形組成物は、単一成分系または一成分系と呼ばれる。これは、被包、コーティングまたは膜、液体配合物等の構成成分の別個の投与、または構成成分（サシェ、ポーチ等）の物理的分離のための異なる区画を有することの結果として、制御放出される従来の洗剤組成物より有益であり、かつ異なり、また、制御放出速度で所望の活性をもたらすために、異なる洗剤組成物または他の組成物と組み合わせる必要がある。
【００２６】
いくつかの態様では、本明細書に記載の固形組成物は、所望のサイクル数の間に送達される洗剤組成物の総濃度を上昇させるために、二相または２つ以上の固相等の多相を含むこともできる。こうした態様では、固形組成物の複数の均質な層があり、少なくとも１つの層は、多糖類材料、炭酸塩アルカリ性源、および活性成分清浄化剤を含む。別の態様では、第１の相は、多糖類材料、炭酸塩アルカリ性源、および活性成分清浄化剤を含む均質な固形物であり、第２の相も、炭酸塩アルカリ性源および活性成分清浄化剤を含む均質な固形物である。各態様では、第１の相および／または第２の相は、様々な追加の機能性成分をさらに含むことができる。一態様では、重量基準での第１の相と第２の相の比は、約１０：１〜約１：１０、約５：１〜約１：５、約２：１〜約１：２、または約１：１であり、所望の濃度の清浄化剤を送達するように改変されている。このような二相固形物は、複数区画の固形物および／または液体（例えば、可溶性パケットもしくはエンベロープもしくは他の被包形態）または圧縮および非圧縮配合物とは異なる。これは、２つの相のそれぞれが、均質な固形物であり、一方の相は制御（または遅効性とも称される）放出剤（多糖類材料）を含み、他方の相は制御放出剤（多糖類材料）を含まないためである。
【００２７】
実施形態の一態様では、固形組成物は、各サイクルにおいて固形組成物の特定の部分または量を放出するように設計されている。例示的な実施形態では、器物洗浄サイクルは、約０．５グラム／サイクルの固形組成物、約１グラム／サイクルの固形組成物、約２グラム／サイクルの固形組成物、約５グラム／サイクルの固形組成物、約６グラム／サイクルの固形組成物、または約１０グラム／サイクルの固形組成物（その間の全ての範囲を含む）を放出する。したがって、当業者は、本開示から、固形組成物のサイズが、毎日実行されるサイクルの数（または他の時間の増分）に適し得ることを確認するであろう。
【００２８】
一態様では、５０グラムの錠剤では、固形組成物は、少なくとも５サイクル、少なくとも６サイクル、少なくとも７サイクル、少なくとも８サイクル、少なくとも９サイクル、少なくとも１０サイクル、少なくとも１５サイクル、少なくとも２０サイクル、少なくとも２５サイクル、少なくとも３０サイクル、少なくとも３５サイクル、少なくとも４０サイクル、またはそれ以上とする。当業者が確認するように、固形組成物がより多く配合されると（例えば、１００グラム、２５０グラム、またはそれ以上）、固形組成物によってもたらされるサイクル数の増加が行われ得、本組成物、方法およびシステムの範囲内に含まれる。
【００２９】
一態様では、１００グラムの錠剤では、固形組成物は、少なくとも１０サイクル、少なくとも１１サイクル、少なくとも１２サイクル、少なくとも１３サイクル、少なくとも１４サイクル、少なくとも１５サイクル、少なくとも１６サイクル、少なくとも１７サイクル、少なくとも１８サイクル、少なくとも１９サイクル、少なくとも２０サイクル、少なくとも２５サイクル、少なくとも３０サイクル、少なくとも３５サイクル、少なくとも４０サイクル、少なくとも５０サイクル、少なくとも６０サイクル、少なくとも７０サイクル、少なくとも８０サイクル、少なくとも９０サイクル、少なくとも１００サイクル、またはそれ以上とする。
【００３０】
アルカリ性源
洗剤組成物は、アルカリ性源を含む。一態様では、アルカリ性源は、アルカリ金属炭酸塩から選択される。好適なアルカリ金属炭酸塩としては、炭酸ナトリウムまたは炭酸カリウムが挙げられるが、これらに限定されない。本態様では、アルカリ金属炭酸塩としては、メタケイ酸塩、ケイ酸塩、重炭酸塩、およびセスキ炭酸塩が挙げられることがさらに理解される。本発明によれば、任意の「灰ベース」組成物または「アルカリ金属炭酸塩」組成物としては、全てのアルカリ金属炭酸塩、メタケイ酸塩、ケイ酸塩、重炭酸塩、および／またはセスキ炭酸塩が挙げられることも理解されるべきである。
【００３１】
好ましい態様では、アルカリ性源は、アルカリ金属炭酸塩である。さらに好ましい態様では、アルカリ清浄化組成物は、有機アルカリ性源を含まない。
【００３２】
一態様では、組成物は、約２０重量％〜約９５重量％のアルカリ性源、約２５重量％〜約９０重量％のアルカリ性源、約４５重量％〜約９０重量％のアルカリ性源、約５０重量％〜約９０重量％のアルカリ性源、約５５重量％〜約８５重量％のアルカリ性源、約３０重量％〜約７５重量％のアルカリ性源、約４０重量％〜約７５重量％のアルカリ性源、および好ましくは、約４５重量％〜約７５重量％のアルカリ性源を含む。それに加えて、組成物、方法およびシステムにより限定されるものではないが、全ての列挙される範囲は、その範囲を定義する数を含み、その定義される範囲内の各整数を含む。
【００３３】
多糖類材料
本開示による固形器物洗浄組成物としては、所望の測定可能な粘度を有する少なくとも１つの多糖類材料が挙げられる。一態様では、多糖類材料は、多糖類セルロース系材料であり得る。別の態様では、多糖類材料は、キサンタン増粘材料であり得る。一態様では、多糖類材料は、複数の多糖類セルロース系材料とキサンタンガムとの組み合わせであり得る。さらに別の態様では、多糖類材料は、多糖類セルロース系材料（または複数の多糖類セルロース系材料）とキサンタンガムとの組み合わせであり得る。
【００３４】
好適なセルロース系材料の例としては、カルボキシメチルセルロース（ＣＭＣ）、ヒドロキシエチルセルロース（ＨＥＣ）、ヒドロキシプロピルセルロース（ＨＰＣ）、ヒドロキシプロピルメチルセルロース（ＨＰＭＣ）、メチルセルロース（ＭＣ）、硫酸セルロースエステル、酢酸セルロース、および三酢酸セルロースが挙げられるが、これらに限定されない。セルロース系材料は、固化剤として、および制御放出剤として機能し得る。セルロース系材料は、水に溶解または拡散する活性成分の量を調節する機能も果たす。放出される活性成分の量は、組成物の構成成分を変更することにより調整される。
【００３５】
固形組成物に使用するための追加の好適な多糖類材料としては、例えばキサンタンガム（またはキサンタムガム）等の天然ガムが挙げられるが、これに限定されない。
【００３６】
固形組成物で使用するための追加の好適な多糖類材料としては、３つ以上の糖類単位を含む多糖類が挙げられるが、これらに限定されない。好適な糖類としては、これらに限定されないが、グルコース、フルクトース、ラクツロース  ガラクトース、ラフィノース、トレハロース、スクロース、マルトース、ツラノース、セロビオース、ラフィノース、メレジトース、マルトリオース、アカルボース、スタキオース、リボース、アラビノース、キシロース、リキソース、デオキシリボース、プシコース、ソルボース、タガトース、アロース、アルトロース、マンノース、グロース、イドース、タロース、フコース（ｆｕｃｏｓｅ）、フクロース、ラムノース、セドヘプロース、オクトゥース（ｏｃｔｕｓｅ）、ノノース、エリスロース、テオース（ｔｈｅｏｓｅ）、アミロース、アミロペクチン、ペクチン、イヌリン、改変イヌリン、ジャガイモデンプン、改変ジャガイモデンプン、コーンデンプン、改変コーンデンプン、小麦デンプン、改変小麦デンプン、米デンプン、改変米デンプン、セルロース、改変セルロース、デキストリン、デキストラン、マルトデキストリン、シクロデキストリン、グリコーゲンおよびオリゴフルクトース、カルボキシメチルセルロースナトリウム、直鎖スルホン化アルファ−（１，４）−連結Ｄ−グルコースポリマー、γ−シクロデキストリン、アミロース、改変イヌリン、ジャガイモデンプン、改変ジャガイモデンプン、コーンデンプン、改変コーンデンプン、小麦デンプン、改変小麦デンプン、米デンプン、および改変米デンプン等が挙げられる。
【００３７】
１つ以上の多糖類材料を固形組成物に使用することができる。いくつかの態様では、多糖類セルロース系材料は、好ましくはキサンタンガムと共に、またはキサンタンガムと組み合わせて使用され得る。
【００３８】
一実施形態では、多糖類材料の組み合わせが固形組成物に使用される。一実施形態では、少なくとも２つの多糖類材料が固形組成物に使用される。
【００３９】
一実施形態では、約２００〜約１５，０００、または好ましくは約２００〜約３，０００の重合度を有する一つ又は複数の多糖類材料が、固形組成物に使用される。一実施形態では、約１〜約５，０００ｃｐの約１重量％水溶液粘度（２５℃）、または約１〜約５，０００ｃｐの２重量％水溶液粘度（２５℃）を有する一つ又は複数の多糖類材料が固形組成物に使用される。一実施形態では、ゼロ〜約３、または好ましくは約０．５〜約１．５の置換度（Ｄ．Ｓ．）を有する一つ又は複数の多糖類材料が、固形組成物に使用される。
【００４０】
好ましい実施形態では、固形組成物中の一つ又は複数の多糖類材料は、洗剤組成物中の水酸化物アルカリ度の溶解速度が遅くなるか、または溶解を遅延させ（および溶解度を低下させ）、（ａ）約２００〜約１５，０００、または好ましくは約２００〜約３０００の重合度、（ｂ）約１〜約５０００ｃｐの約１重量％〜約２重量％水溶液粘度（２５℃）、および／または（ｃ）０〜約３、または好ましくは約０．５〜約１．５の置換度（Ｄ．Ｓ．）を伴う、一つ又は複数の多糖類材料を含む。
【００４１】
本明細書で言及されるように、一つ又は複数の多糖類材料のＤ．Ｓ．は、セルロース分子の個々のグルコース単位に付着した、カルボキシメチル−、メチル−、エチル−、ヒドロキシエチル−、ヒドロキシプロピル−、ヒドロキシプロピルメチル−、アセテート−、トリアセテート−、アセテート−プロピオネート−、アセテート−ブチレート等の基の頻度を指す。さらに別の態様では、一つ又は複数の多糖類材料のＤ．Ｓ．は、セルロース分子の個々のグルコース単位に付着したカルボキシメチル、メチル、エチル、ヒドロキシエチル、ヒドロキシプロピル、ヒドロキシプロピルメチル、アセテート、トリアセテート、アセテート−プロピオネート、アセテート−ブチレート等の基のうちの１つ以上の置換を指すこともある。意外なことに、固形組成物について、本明細書に記載の一つ又は複数の多糖類材料を使用することで、固形組成物の約２０重量％未満等、比較的低濃度の多糖類材料の使用により望ましい徐放特性がもたらされる。
【００４２】
固形器物洗浄組成物中の多糖類材料の好適な濃度は、固形組成物の約１重量％〜約２０重量％であり得る。固形組成物中の多糖類材料のさらなる好適な濃度は、固形組成物の約１重量％〜約１５重量％であり得る。固形組成物中の多糖類材料のさらに好適な濃度は、固形組成物の約５重量％〜約２０重量％、または固形組成物の約５重量％〜約１５重量％、または固形組成物の約１０重量％〜約１５重量％、または固形組成物の約５重量％〜約１０重量％であり得る。非常に高い多糖類材料含有量を有する固形組成物では、好適な量の活性成分が組成物に添加されることを妨げられ得、十分でない多糖類材料を有する組成物は、炭酸塩固形組成物の所望の制御放出がもたらされることはない。
【００４３】
水
水は、独立して、固形組成物に添加され得るか、または固形洗浄組成物に添加される水性物質中に存在している結果として、組成物中に提供され得る。例えば、固形組成物に添加される材料は、水を挙げることができるか、または水性プレミックスで調製されてもよい。典型的には、水は、固化の前に加工するために所望の粘度を提供するため、かつ所望の固化速度を提供するために、組成物中に導入される。概して、水は、加工助剤として存在し得、除去され得るか、または水和水となり得る。水は、脱イオン水、軟水、または硬水として別個に添加され得る。
【００４４】
得られる固形組成物中での水の量は、固形組成物が、成形技術（プレスによる固化等）、鋳造（容器内で起こる固化）技術、または他の固化方法によって加工されるか否かに依存する。一般に、構成成分が成形技術によって加工される場合、固形制御放出組成物は、固化のために、鋳造技術と比較して、より少ない量の水を含んでもよい。水の好適な濃度としては、固形組成物の約０重量％〜約２０重量％が挙げられる。さらに好適な水の濃度としては、固形組成物の約１重量％〜約２０重量％、または約５重量％〜約２０重量％が挙げられる。
【００４５】
活性成分
固形制御放出組成物は、少なくとも１つの活性成分をさらに含む。「活性成分」としては、水溶液等の使用溶液および／または濃縮溶液に分散または溶解したときに、特定の用途で有益な特性を提供する材料を挙げることができる。活性成分の例としては、キレート剤、酵素、界面活性剤等が挙げられるが、これらに限定されない。
【００４６】
組成物は、様々な実施形態のいずれかにおいて提供することができる。一実施形態において、洗剤組成物は、リン、ニトリロ三酢酸（ＮＴＡ）およびエチレンジアミン四酢酸（ＥＤＴＡ）を実質的に含まなくてもよい。無リンとは、組成物の総重量に基づいて、約０．５重量％未満、より具体的には約０．１重量％未満、さらにより具体的には約０．０１重量％未満の亜リン酸を有する組成物を意味する。ＮＴＡ非含有とは、組成物の総重量に基づいて約０．５重量％未満、約０．１重量％未満、特に約０．０１重量％未満のＮＴＡを有する組成物を意味する。組成物がＮＴＡを含まれない場合、この組成物は、再付着防止剤および汚れ除去剤として機能する塩素と相溶性でもある。使用溶液に希釈される場合、洗剤組成物は、約１００ｐｐｍ未満、特に約１０ｐｐｍ未満、より特に約１ｐｐｍ未満のリン含有成分、ＮＴＡおよびＥＤＴＡ濃度を含む。
【００４７】
界面活性剤
一態様では、洗剤組成物は、任意により消泡剤を含んでもよい。好ましい態様では、消泡剤は、非イオン性界面活性剤である。好ましい態様では、消泡剤は、非イオン性アルコキシル化界面活性剤である。例示的な好適なアルコキシル化界面活性剤としては、Ｐｌｕｒｏｎｉｃという名称で入手可能なもの等のエチレンオキシド／プロピレンブロックコポリマー（ＥＯ／ＰＯコポリマー）、キャップ付きＥＯ／ＰＯコポリマー、アルコールアルコキシレート、キャップ付きアルコールアルコキシレート、それらの混合物等が挙げられる。
【００４８】
一態様では、洗剤組成物は、界面活性剤の組み合わせを含み、良好な清浄性およびすすぎ性をもたらす。一実施形態では、洗剤組成物の界面活性剤は、少なくとも２つの非イオン性界面活性剤を含む。実施形態では、非イオン性界面活性剤は、アルコールアルコキシレートおよびＥＯ／ＰＯコポリマーを含む。代替的実施形態では、非イオン性界面活性剤は、アルコールアルコキシレートおよびアルキルアルコキシレートを含む。なおさらなる実施形態では、非イオン性界面活性剤は、アルコールアルコキシレート、アルキルアルコキシレート、ＥＯ／ＰＯコポリマー、およびそれらの組み合わせからなる群から選択される。いくつかの実施形態では、アルコールアルコキシレート対アルキルアルコキシレート（好ましくはＥＯ／ＰＯコポリマー）の比は、好ましくは約１：５〜約５：１、より好ましくは約１：３〜約３：１、最も好ましくは約１：２から約２：１である。例示的な実施形態では、非イオン性界面活性剤は、約１：１、約１：５〜約５：１、約１：３〜約３：１、または約１：２〜約２：１の比のアルキルアルコキシレート（好ましくはＥＯ／ＰＯコポリマー）およびアルコールアルコキシレートを含む。好ましい態様では、アルカリ性洗剤組成物は、約１：１の比のアルキルアルコキシレート（好ましくは、ＥＯ／ＰＯコポリマー）およびアルコールアルコキシレートを含む。
【００４９】
好適なアルコールアルコキシレートとしては、エチレンオキシド、プロピレンオキシド、およびブチレンオキシド基およびそれらの混合物が挙げられる。特に、好適なアルコールアルコキシレートは、約１〜約３０モルのアルキルオキシド、および約４〜約２０炭素の長さの炭素鎖を有し得る。好ましい実施形態では、アルコールエトキシレートは、約１０〜約４０モルのアルキルオキシドを有するＣ８〜Ｃ１８アルコールアルコキシレートであり得る。より好ましい実施形態では、アルコールアルコキシレートは、約１０〜約３０モルのアルキルオキシドを有するＣ８〜Ｃ１６アルコールアルコキシレートであり得る。さらにより好ましい実施形態では、アルコールアルコキシレートは、約１５〜約２５モルのアルキルオキシドを有するＣ１０〜Ｃ１２アルコールアルコキシレートであり得る。好ましいアルコールアルコキシレートの例は、Ｓｕｒｆｏｎｉｃ（Ｈｕｎｔｓｍａｎから入手可能）、Ｒｈｏｄａｓｕｒｆ（Ｒｈｏｄｉａから入手可能）、Ｎｏｖｅｌ（Ｓａｓｏｌから入手可能）、Ｌｕｔｅｎｓｏｌ（ＢＡＳＦから入手可能）という商標で入手可能である。
【００５０】
エチレンオキシド／プロピレンオキシド誘導体またはコポリマー（ＥＯ／ＰＯ）コポリマー界面活性剤を有するアルキルアルコキシレートは、アルカリ性組成物に特に好適である。ＥＯ／ＰＯコポリマーは、約１〜約５０モルのＥＯおよび約１〜約５０モルのＰＯを有してもよい。好ましい実施形態では、ＥＯ／ＰＯコポリマーは、ブロックポリマーである。別の態様では、ＥＯ／ＰＯコポリマーは、Ｃ８〜１８アルキル基、またはいかなるアルキル基さえも含まない。
【００５１】
これらのＥＯ／ＰＯコポリマー界面活性剤は、コンパクトなアルコールＥＯ／ＰＯ界面活性剤を含み得、この場合、ＥＯ基およびＰＯ基は、小ブロック形態、またはランダム形態である。他の実施形態では、アルキルアルコキシレートとしては、エチレンオキシド、プロピレンオキシド、ブチレンオキシド、ペンタレンオキシド、ヘキシレンオキシド、ヘプタレンオキシド、オクタレンオキシド、ノナレンオキシド、デシレンオキシド、およびそれらの混合物が挙げられる。アルキル基は、直鎖または分岐鎖Ｃ１０〜Ｃ１８であり得る。一態様では、ＥＯ／ＰＯコポリマー界面活性剤は、アルコールアルコキシレート界面活性剤と組み合わせた２−イン−１アルカリ性組成物での使用に特に好適である。例示的な市販の界面活性剤は、例えば、商品名Ｐｌｕｒｏｎｉｃ（登録商標）およびＰｌｕｒｏｎｉｃ  Ｒ（ＢＡＳＦから入手可能である）、Ｔｅｔｒｏｎｉｃ（Ｄｏｗから入手可能である）およびＳｕｒｆｏｎｉｃ（Ｈｕｎｔｓｍａｎから入手可能である）で入手可能である。
【００５２】
使用され得るエチレンオキシドおよび／またはプロピレンオキシド誘導体界面活性剤のいくつかの例としては、ポリオキシエチレン−ポリオキシプロピレンブロックコポリマー等、またはそれらの誘導体が挙げられる。ポリオキシエチレン−ポリオキシプロピレンブロックコポリマーのいくつかの例は、下記の式を有するものを含み：
【化１】
0006955030.tif 000002
式中、ＥＯは、エチレンオキシド基を表し、ＰＯは、プロピレンオキシド基を表し、ｘおよびｙは、全体的なブロックコポリマー組成物中の各アルキレンオキシドモノマーの平均分子比を反映する。一態様では、好ましいＥＯ／ＰＯコポリマーは、式（ＥＯ）ｘ（ＰＯ）ｙ（ＥＯ）ｘで表される。さらなる態様では、好ましいＥＯ／ＰＯコポリマーは、式（ＰＯ）ｙ（ＥＯ）ｘ（ＰＯ）ｙで表される。いくつかの実施形態では、ｘは、約５〜約５０の範囲にあり、ｙは、約１〜約５０の範囲にあり、ｘ＋ｙは、約６〜約２００の範囲にある。分子中の各ｘおよびｙは、異なり得ることが理解されるべきである。いくつかの実施形態では、材料は、約２００超、約２５，０００未満の分子量を有し得る。例えば、いくつかの実施形態では、材料は、約５００〜約２５，０００の範囲、または約１０００〜約２０，０００の範囲の分子量を有し得る。
【００５３】
いくつかの実施形態では、ＥＯ／ＰＯ界面活性剤は、約１〜約５０個のエチレンオキシド基および約１〜約５０個のプロピレンオキシド基を有し得る。いくつかの実施形態では、材料は、約４００超、いくつかの実施形態では、約５００超の分子量を有し得る。例えば、いくつかの実施形態では、材料は、約５００〜約７０００以上の範囲、もしくは約９５０〜約４０００以上の範囲、もしくは約１０００〜約３１００以上の範囲、もしくは約２１００〜約６７００以上の範囲、もしくは約２５００〜約４２００以上の範囲の分子量を有し得る。
【００５４】
専門書Ｎｏｎｉｏｎｉｃ  Ｓｕｒｆａｃｔａｎｔｓ（Ｓｃｈｉｃｋ，Ｍ．Ｊ．編、ｔｈｅ  Ｓｕｒｆａｃｔａｎｔ  Ｓｃｉｅｎｃｅ  Ｓｅｒｉｅｓ、第１巻、Ｍａｒｃｅｌ  Ｄｅｋｋｅｒ，Ｉｎｃ．、Ｎｅｗ  Ｙｏｒｋ、１９８３年）は、一般的に用いられる非イオン性化合物の詳細を提供する。非イオン性クラス、およびこれらの界面活性剤の種の典型的なリストは、１９７５年１２月３０日にＬａｕｇｈｌｉｎおよびＨｅｕｒｉｎｇに発行された米国特許第３，９２９，６７８号に記載されている。さらなる例は、「Ｓｕｒｆａｃｅ  Ａｃｔｉｖｅ  Ａｇｅｎｔｓ  ａｎｄ  ｄｅｔｅｒｇｅｎｔｓ」（第Ｉ巻、および第ＩＩ巻、Ｓｃｈｗａｒｔｚ，ＰｅｒｒｙおよびＢｅｒｃｈ）に記載されている。これらの参照文献の各々は、本明細書にその全体が参照により組み込まれる。
【００５５】
様々な非イオン性界面活性剤は、その全体が本明細書に組み込まれる米国特許第９，７９６，９４７号に開示されているもの等、洗剤組成物に好適であるポリマーとさらに組み合わせることができる。
【００５６】
消泡剤の例としては、ポリジメチルシロキサン、ポリジメチルシロキサン、および官能化ポリジメチルシロキサン中に分散されるシリカ等のシリコーン化合物、例えばＡｂｉｌ  Ｂ９９５２の名前で入手可能であるもの、脂肪アミド、炭化水素ワックス、脂肪酸、脂肪エステル、脂肪アルコール、脂肪酸石鹸、エトキシレート、鉱物油、ポリエチレングリコールエステル、ならびにリン酸モノステアリル等のアルキルリン酸エステルを挙げることができる。消泡剤の考察は、Ｍａｒｔｉｎらの米国特許第３，０４８，５４８号、Ｂｒｕｎｅｌｌｅらの米国特許第３，３３４，１４７号、およびＲｕｅらの米国特許第３，４４２，２４２号に見出され得、これらの開示は、あらゆる目的のために参照により本明細書に組み込まれる。
【００５７】
非イオン性界面活性剤は、一般に、有機疎水基および有機親水基の存在を特徴とし、典型的には、有機脂肪族、アルキル芳香族、またはポリオキシアルキレン疎水性化合物の、慣例的にはエチレンオキシドまたはその多水和生成物、ポリエチレングリコールである親水性アルカリ酸化物部分との縮合により生成される。具体的には、反応性水素原子を有するヒドロキシル、カルボキシル、アミノ、またはアミド基を有する任意の疎水性化合物を、エチレンオキシド、もしくはその多水和添加剤、またはプロピレンオキシド等のアルコキシレンとのその混合物と縮合させて、非イオン表面活性剤を形成することができる。任意の特定の疎水性化合物と縮合する親水性ポリオキシアルキレン部分の長さは、親水性特性と疎水性特性との間の所望の程度のバランスを有する水分散性または水溶性化合物を生成するように、容易に調節され得る。本組成物、方法およびシステムによれば、本組成物に有用な非イオン性界面活性剤は、低発泡性非イオン性界面活性剤である。非イオン性低発泡性界面活性剤の例としては：
【００５８】
開始剤反応性水素化合物としての、プロピレングリコール、エチレングリコール、グリセロール、トリメチロールプロパン、およびエチレンジアミンをベースとするブロックポリオキシプロピレン−ポリオキシエチレンポリマー化合物が挙げられる。開始剤の逐次的プロポキシル化およびエトキシル化から作製されるポリマー化合物の例は、ＢＡＳＦ  Ｃｏｒｐ製のＰｌｕｒｏｎｉｃ（登録商標）およびＴｅｔｒｏｎｉｃｏの商品名で市販されている。Ｐｌｕｒｏｎｉｃ（登録商標）化合物は、エチレンオキシドを、プロピレングリコールの２つのヒドロキシル基へのプロピレンオキシドの付加によって形成される疎水性塩基と縮合させることによって形成される二官能性（２つの反応性水素）化合物である。分子のこの疎水性部分は、１，０００〜４，０００の分子量を有する。次に、この疎水性物質を親水基の間に挟み込むようにエチレンオキシドが追加され、最終的な分子の約１０重量％〜約８０重量％を構成するように長さが制御される。Ｔｅｔｒｏｎｉｃ（登録商標）化合物は、プロピレンオキシドおよびエチレンオキシドの、エチレンジアミンへの逐次追加から得られる四官能性ブロックコポリマーである。プロピレンオキシドハイドロタイプの分子量は、５００〜７，０００の範囲であり、分子の１０重量％〜８０重量％を構成するように、親水性のエチレンオキシドが追加される。
【００５９】
直鎖もしくは分岐鎖構成の、または単一もしくは二重アルキル構成物質の、アルキル鎖が、８〜１８個の炭素原子を含有する、１モルのアルキルフェノールの、３〜５０モルのエチレンオキシドとの縮合生成物。アルキル基は、例えば、ジイソブチレン、ジ−アミル、ポリマー化プロピレン、イソ−オクチル、ノニル、およびジ−ノニルにより表され得る。これらの界面活性剤は、アルキルフェノールのポリエチレン、ポリプロピレン、およびポリブチレンオキシド縮合物であり得る。この化学構造の市販の化合物の例は、Ｒｈｏｎｅ−Ｐｏｕｌｅｎｃ製のＩｇｅｐａｌ（登録商標）、およびＤｏｗ製のＴｒｉｔｏｎ（登録商標）の商品名で市販されている。
【００６０】
６〜２４個の炭素原子を有する、１モルの飽和もしくは不飽和の直鎖もしくは分岐鎖アルコールの、３〜５０モルのエチレンオキシドとの縮合生成物。アルコール部分は、上述された炭素範囲内のアルコールの混合物からなり得るか、またはこの範囲内の特定の数の炭素原子を有するアルコールからなり得る。同様の市販の界面活性剤の例は、Ｓｈｅｌｌ  Ｃｈｅｍｉｃａｌ  Ｃｏ．製のＮｅｏｄｏｌ（登録商標）、およびＶｉｓｔａ  Ｃｈｅｍｉｃａｌ  Ｃｏ．製のＡｌｆｏｎｉｃ（登録商標）の商品名で市販されている。
【００６１】
８〜１８個の炭素原子を有する飽和または不飽和の直鎖または分岐鎖カルボン酸１モルと、エチレンオキシド６〜５０モルとの縮合生成物。酸部分は、上記に定義された炭素原子範囲内の酸の混合物からなり得るか、またはこの範囲内の特定の数の炭素原子を有する酸からなり得る。この化学構造の市販の化合物の例は、Ｈｅｎｋｅｌ  Ｃｏｒｐｏｒａｔｉｏｎ製のＮｏｐａｌｃｏｌ（登録商標）、およびＬｉｐｏ  Ｃｈｅｍｉｃａｌｓ，Ｉｎｃ製のＬｉｐｏｐｅｇ（登録商標）の商品名で市販されている。
【００６２】
次の構造を有する化合物：
ＲＯ−（ＰＯ）０−５（ＥＯ）１−３０（ＰＯ）１−３０
【００６３】
式中、Ｒは、Ｃ８〜１８の直鎖または分岐鎖アルキル基である；ＥＯ＝エチレンオキシド；ＰＯ＝プロピレンオキシド。
【００６４】
エチレンオキシドをエチレングリコールに付加して指定の分子量の親水性物質を提供し；次いでプロピレンオキシドを付加して分子の外側（端部）に疎水性ブロックを得ることにより改質され、本質的に反転された（１）からの化合物。この分子の疎水性部分は、１，０００〜３，１００の分子量を有し、中心の親水性物質は、最終的な分子の１０重量％〜８０重量％を含む。これらの逆Ｐｌｕｒｏｎｉｃｓ（登録商標）は、ＢＡＳＦ  Ｃｏｒｐｏｒａｔｉｏｎによって、Ｐｌｕｒｏｎｉｃ（登録商標）Ｒ界面活性剤の商品名で作製されている。
【００６５】
プロピレンオキシドおよびエチレンオキシドをエチレンジアミンに逐次追加することにより生成されるアルコキシル化ジアミン。この分子の疎水性部分は、２５０〜６，７００の分子量を有し、中心の親水性物質は、最終的な分子の０．１重量％〜５０重量％を含む。この化学の市販化合物の例は、Ｔｅｔｒｏｎｉｃ（商標）Ｓｕｒｆａｃｔａｎｔｓという商品名でＢＡＳＦ  Ｃｏｒｐｏｒａｔｉｏｎから市販されている。
【００６６】
エチレンオキシドおよびプロピレンオキシドをエチレンジアミンに逐次追加することにより生成されるアルコキシル化ジアミン。この分子の疎水性部分は、２５０〜６，７００の分子量を有し、中心の親水性物質は、最終的な分子の０．１重量％〜５０重量％を含む。この化学の市販化合物の例は、Ｔｅｔｒｏｎｉｃ  Ｒ（商標）Ｓｕｒｆａｃｔａｎｔｓという商品名でＢＡＳＦ  Ｃｏｒｐｏｒａｔｉｏｎから市販されている。
【００６７】
プロピレンオキシド、ブチレンオキシド、塩化ベンジル等の疎水性小分子と、１〜５個の炭素原子を含有する短鎖脂肪酸、アルコールまたはアルキルハロゲン化物と、それらの混合物との反応による発泡を低減するために、（多官能性部分の）一つ又は複数の末端ヒドロキシ基を「キャッピング」または「端部ブロッキング」することで改質された化合物。また、末端ヒドロキシ基を塩化物基に変換する塩化チオニル等の反応物質も含まれる。末端ヒドロキシ基へのそのような修飾は、オールブロック、ブロック−ヘテリック、ヘテリック−ブロック、またはオールヘテリック非イオン性物質をもたらし得る。
【００６８】
本発明の組成物において有利にも使用されるポリオキシアルキレン表面活性剤は、式Ｐ＼［（Ｃ３Ｈ６Ｏ）ｎ（Ｃ２Ｈ４Ｏ）ｍＨ］ｘに対応し、Ｐは、８〜１８個の炭素原子を有し、かつｘが、１または２の値を有するｘ個の反応性水素原子を含有する有機化合物の残基であり、ｎは、ポリオキシエチレン部分の分子量が少なくとも４４となるような値を有し、ｍは、分子のオキシプロピレン含量が１０重量％〜９０重量％となるような値を有する。いずれの場合においても、オキシプロピレン鎖は、任意選択的ではあるが、有益なことに、少量のエチレンオキシドを含有してもよく、オキシエチレン鎖もまた、任意選択的ではあるが、有益なことに、少量のプロピレンオキシドを含有してもよい。
【００６９】
アルコキシル化アミン、または最も具体的には、アルコールアルコキシル化／アミノ化／アルコキシル化界面活性剤。これらの非イオン性界面活性剤は、少なくとも部分的に以下の一般式：
Ｒ２０−−（ＰＯ）ｓＮ−（ＥＯ）ｔＨ、
Ｒ２０−−（ＰＯ）ｓＮ−（ＥＯ）ｔＨ（ＥＯ）ｔＨ、および
Ｒ２０−−Ｎ（ＥＯ）ｔＨによって表され得、
式中、Ｒ２０は、８〜２０個、好ましくは１２〜１４個の炭素原子のアルキル、アルケニル、もしくは他の脂肪族基、またはアルキル−アリール基であり、ＥＯは、オキシエチレンであり、ＰＯは、オキシプロピレンであり、ｓは、１〜２０、好ましくは２〜５であり、ｔは、１〜１０、好ましくは２〜５であり、ｕは、１〜１０、好ましくは２〜５である。これらの化合物の範囲の他の変動は、代替式、
Ｒ２０−−（ＰＯ）ｖ−−Ｎ［（ＥＯ）ｗＨ］［（ＥＯ）ｚＨ］
によって表され得、式中、Ｒ２０は、上記の定義の通りであり、ｖは、１〜２０（例えば、１、２、３、または４（好ましくは２））であり、ｗおよびｚは、独立して、１〜１０、好ましくは２〜５である。これらの化合物は、商業的には、非イオン性界面活性剤としてＨｕｎｔｓｍａｎ  Ｃｈｅｍｉｃａｌｓにより販売されている製品ラインにより代表される。このクラスの好ましい化学薬品としては、Ｓｕｒｆｏｎｉｃ  ＰＥＡ  ２５アミンアルコキシレートが挙げられる。
【００７０】
無泡性非イオン性界面活性剤の好適な量としては、清浄化溶液の約０．０１重量％〜約１５重量％が挙げられる。特に好適な量としては、清浄化溶液の約０．１重量％〜約１２重量％または約０．５重量％〜約１０重量％が挙げられる。
【００７１】
追加の機能性成分
洗剤組成物の構成成分は、器物洗浄用途における使用に好適である様々な機能性構成成分とさらに組み合わせることができる。いくつかの実施形態では、その中に追加の機能性成分はほとんど、または全く入っていない。他の実施形態では、追加の機能性成分が、本組成物中に含まれてもよい。機能性成分は、組成物に所望の特性および機能性を提供する。本出願の目的のために、「機能性成分」という用語は、使用および／または濃縮溶液中に分散または溶解される場合、特定の使用において有益な特性を提供する材料を含む。機能性材料のいくつかの特定の例は、以下により詳細に述べられるが、述べられている特定の材料は、単に例として与えられており、その多様な他の機能性成分が使用されてもよい。例えば、以下に論じられる機能性材料の多くは、清浄化、具体的には、器物洗浄用途で使用される材料に関する。しかしながら、他の実施形態は、他の用途における使用のための機能性成分を含み得る。
【００７２】
他の実施形態では、組成物は、酵素、消泡剤、再付着防止剤、スケール防止剤、漂白剤、溶解度調整剤、分散剤、金属保護剤、安定剤、腐食防止剤、追加の金属イオン封鎖剤および／またはキレート剤、しきい値抑制剤、結晶調製剤、香料および／または染料、レオロジー調整剤または増粘剤、ヒドロトロープまたはカプラー、緩衝剤、溶媒等を含み得る。組成物は、約０重量％〜約５０重量％、約０．０１重量％〜約５０重量％、約０．１重量％〜約５０重量％、約１重量％〜約５０重量％、約１重量％〜約４０重量％、約１重量％〜約３０重量％、約１重量％〜約２５重量％、約５重量％〜約２５重量％、または約５重量％〜約２０重量％の追加の機能性成分を含み得る。組成物としては、これらに限定されないが、縮合リン酸塩、アルカリ金属炭酸塩、ホスホン酸塩、アミノカルボン酸、および／またはポリカルボン酸等、キレート剤または金属イオン封鎖剤とも呼ばれる１つ以上の構築剤（ｂｕｉｌｄｉｎｇ  ａｇｅｎｔ）（例えば、ビルダー）を挙げることができる。一般に、キレート剤は、金属イオンが清浄化組成物の他の清浄性成分の作用に干渉することを防止するように、天然水中に一般的に見られる金属イオンを配位（すなわち、結合）することができる分子である。キレート剤または金属イオン封鎖剤でもあり得るビルダーの好ましい添加レベルは、約０．１重量％〜約７０重量％、約１重量％〜約６０重量％、または約１．５重量％〜約５０重量％である。ビルダーの追加的な範囲としては、約３重量％〜約２０重量％、約６重量％〜約１５重量％、約２５重量％〜約５０重量％、および約３５重量％〜約４５重量％が挙げられる。
【００７３】
好適なスケール防止剤、しきい値抑制剤、および分散剤の例としては、アミノカルボキシレートが挙げられる。好適なアミノカルボキシレートとしては、例えば、Ｎ−ヒドロキシエチルアミノ二酢酸、エチレンジアミン四酢酸（ＥＤＴＡ）、メチルグリシン二酢酸（ＭＧＤＡ）、ヒドロキシエチレンジアミン四酢酸、ジエチレントリアミン五酢酸、Ｎ−ヒドロキシエチルエチレンジアミン三酢酸（ＨＥＤＴＡ）、グルタミン酸Ｎ，Ｎ−二酢酸（ＧＬＤＡ）、ジエチレントリアミン五酢酸（ＤＴＰＡ）、およびカルボン酸置換基を有するアミノ基を有する他の同様の酸が挙げられる。有益なことに、アミノカルボキシレートは、ＮＴＡ含有化合物を実質的に含まないキレート剤を使用しながら強力な清浄化性能を提供し、洗剤組成物をより環境的に許容可能にする。ＮＴＡをほとんどまたは全く含有しない有用なアミノカルボン酸材料としては、これらに限定されないが、Ｎ−ヒドロキシエチルアミノ二酢酸、エチレンジアミン四酢酸（ＥＤＴＡ）、ヒドロキシエチレンジアミン四酢酸、ジエチレントリアミン五酢酸、Ｎ−ヒドロキシエチル−エチレンジアミン三酢酸（ＨＥＤＴＡ）、ジエチレントリアミン五酢酸（ＤＴＰＡ）、メチルグリシン二酢酸（ＭＧＤＡ）、グルタミン酸−Ｎ，Ｎ−二酢酸（ＧＬＤＡ）、エチレンジアミンコハク酸（ＥＤＤＳ）、２−ヒドロキシエチルイミノ二酢酸（ＨＥＩＤＡ）、イミノジコハク酸（ＩＤＳ）、３−ヒドロキシ−２，２’−イミノジコハク酸（ＨＩＤＳ）、およびカルボン酸置換基と共にアミノ基を有する他の類似の酸またはそれらの塩が挙げられる。しかしながら、一実施形態では、洗剤組成物は、アミノカルボキシレートを含まない。
【００７４】
縮合リン酸塩の例としては、オルトリン酸ナトリウムおよびカリウム、ピロリン酸ナトリウムおよびカリウム、トリポリリン酸ナトリウム、ならびにヘキサメタリン酸ナトリウムが挙げられるが、これらに限定されない。縮合リン酸塩はまた、洗剤組成物中に存在する自由水を水和水として固定することによって、組成物が固化する際に限定された範囲内まで補助し得る。いくつかの実施形態では、組成物は、ホスホン酸塩を含む。ホスホン酸塩の例としては、これらに限定されないが、米国特許第８，８７１，６９９号および第９，２５５，２４２号に記載されているホスフィノコハク酸オリゴマー（ＰＳＯ）、２−ホスフィノブタン−１，２，４−トリカルボン酸（ＰＢＴＣ）、１−ヒドロキシエタン−１，１−ジホスホン酸、ＣＨ２Ｃ（ＯＨ）［ＰＯ（ＯＨ）２］２；アミノトリ（メチレンホスホン酸）、Ｎ［ＣＨ２ＰＯ（ＯＨ）２］３；アミノトリ（メチレンホスホネート）、ナトリウム塩（ＡＴＭＰ）、Ｎ［ＣＨ２ＰＯ（ＯＮａ）２］３；２−ヒドロキシエチルイミノビス（メチレンホスホン酸）、ＨＯＣＨ２ＣＨ２Ｎ［ＣＨ２ＰＯ（ＯＨ）２］２；ジエチレントリアミンペンタ（メチレンホスホン酸）、（ＨＯ）２ＰＯＣＨ２Ｎ［ＣＨ２ＣＨ２Ｎ［ＣＨ２ＰＯ（ＯＨ）２］２］２；ジエチレントリアミンペンタ（メチレンホスホネート）、ナトリウム塩（ＤＴＰＭＰ）、Ｃ９Ｈ（２８−ｘ）Ｎ３ＮａｘＯ１５Ｐ５（ｘ＝７）；ヘキサメチレンジアミン（テトラメチレンホスホネート）、カリウム塩、Ｃ１０Ｈ（２８−ｘ）Ｎ２ＫｘＯ１２Ｐ４（ｘ＝６）；ビス（ヘキサメチレン）トリアミン（ペンタメチレンホスホン酸）、（ＨＯ２）ＰＯＣＨ２Ｎ［（ＣＨ２）２Ｎ［ＣＨ２ＰＯ（ＯＨ）２］２］２；モノエタノールアミンホスホネート（ＭＥＡＰ）；ホスホン酸ジグリコールアミン（ＤＧＡＰ）、および亜リン酸（Ｈ３ＰＯ３）が挙げられる。好ましいホスホン酸塩は、ＰＢＴＣ、ＨＥＤＰ、ＡＴＭＰおよびＤＴＰＭＰである。混合物に添加する前の中和されたホスホン酸塩またはホスホン酸アルカリ、またはホスホン酸塩とアルカリ性源の組み合わせが好ましい。これにより、ホスホン酸塩の添加時に、中和反応により熱またはガスがほとんどまたはまったく発生しないようになる。しかしながら、一実施形態では、組成物はリンを含まない。ホスホン酸塩の好適な量としては、組成物の約０重量％〜約２５重量％、組成物の約０．１重量％〜約２０重量％、または組成物の約０．５重量％〜約１５重量％が挙げられる。
【００７５】
追加の水調整ポリマーは、リン非含有ビルダーとも称され得る。追加の水調整ポリマーとしては、ポリカルボキシレートが挙げられ得るが、これらに限定されない。ビルダーおよび／または水調整ポリマーとして使用できる例示的なポリカルボキシレートとしては、これらに限定されないが、ペンダントカルボキシレート（−ＣＯ２−）基を有するもの、例えば、ポリアクリル酸ホモポリマー、ポリマレイン酸ホモポリマー、マレイン酸／オレフィンコポリマー、スルホン化コポリマーまたはターポリマー、アクリル／マレイン酸コポリマーまたはターポリマーポリメタクリル酸ホモポリマー、ポリメタクリル酸コポリマーまたはターポリマー、アクリル酸−メタクリル酸コポリマー、加水分解ポリアクリルアミド、加水分解ポリメタクリルアミド、加水分解ポリアミド−メタクリルアミドコポリマー、加水分解ポリアクリロニトリル、加水分解ポリメタクリロニトリル、加水分解アクリロニトリルおよび加水分解アクリロニトリルコポリマー、およびそれらの組み合わせが挙げられる。キレート剤／金属イオン封鎖剤のさらなる考察については、その開示が参照により本明細書に組み込まれる、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，第５巻、３３９−３６６ページおよび第２３巻、３１９−３２０ページを参照されたい。これらの材料は、化学量論的レベル以下で使用して、結晶調整剤としても機能させ得る。
【００７６】
酵素
固形アルカリ性組成物は、汚れの除去、再付着の防止、清浄化組成物の使用溶液中の泡のさらなる減少の促進をもたらす酵素をさらに含むことができる。酵素の目的は、典型的には汚れた表面に見られ、洗剤組成物によって取り除かれた洗浄水源に入る、でんぷんまたはタンパク質性材料等の付着性汚れを分解することである。酵素組成物は、基質から汚れを取り除き、基質表面上での汚れの再堆積を防ぐ。酵素は、消泡等の追加の清浄化効果および洗浄性効果をもたらす。
【００７７】
洗剤組成物または洗剤使用溶液に組み込むことができる例示的な種類の酵素としては、アミラーゼ、プロテアーゼ、リパーゼ、セルラーゼ、クチナーゼ、グルコナーゼ、ペルオキシダーゼおよび／またはそれらの混合物が挙げられる。酵素組成物は、植物、動物、細菌、真菌または酵母起源等の任意の好適な起源由来の複数の酵素を使用してもよい。しかし、好ましい実施形態によれば、酵素はプロテアーゼである。本明細書で使用される「プロテアーゼ」または「プロテイナーゼ」という用語は、ペプチド結合の加水分解を触媒する酵素を指す。
【００７８】
当業者が確認するように、酵素は、特定の種類の汚れにより作動するように設計されている。例えば、一実施形態によれば、器物洗浄用途では、プロテアーゼ酵素は、高温の器物洗浄機において効果的であり、かつタンパク質ベースの汚れを低減するのに効果的であるため、使用してもよい。プロテアーゼ酵素は、血液、皮膚鱗屑、粘液、草、食品（例えば、卵、牛乳、ほうれん草、肉残渣、トマトソース）等のタンパク質を含む汚れを清浄化するのに特に有益である。プロテアーゼ酵素は、アミノ酸残基の巨大分子タンパク質の連結を切断することができ、使用水溶液に容易に溶解または分散する小さい断片に基質を変換する。プロテアーゼは、加水分解として公知である化学反応によって汚れを破壊する能力があるため、洗浄性酵素と呼ばれることが多い。市販のプロテアーゼ酵素の例は、以下の商品名で入手可能である：Ｅｓｐｅｒａｓｅ、Ｐｕｒａｆｅｃｔ、Ｐｕｒａｆｅｃｔ  Ｌ、Ｐｕｒａｆｅｃｔ  Ｏｘ、Ｅｖｅｒｌａｓｅ、Ｌｉｑｕａｎａｓｅ、Ｓａｖｉｎａｓｅ、Ｐｒｉｍｅ  Ｌ、Ｐｒｏｓｐｅｒａｓｅ  ａｎｄ  Ｂｌａｐ。
【００７９】
使用に好適である酵素組成物のさらなる説明は、米国特許第７，６７０，５４９号、同第７，７２３，２８１号、同第７，６７０，５４９号、同第７，５５３，８０６号、同第７，４９１，３６２号、同第６，６３８，９０２号、同第６，６２４，１３２号、および同第６，１９７，７３９号、ならびに米国特許公開第２０１２／００４６２１１号、および第２００４／００７２７１４号に開示されており、その各々の全体が、参照により本明細書に組み込まれる。また、参照文献「Ｉｎｄｕｓｔｒｉａｌ  Ｅｎｚｙｍｅｓ」、Ｓｃｏｔｔ，Ｄ．，Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版（編集者Ｇｒａｙｓｏｎ，Ｍ．およびＥｃＫｒｏｔｈ，Ｄ．）第９巻、１７３−２２４ページ、Ｊｏｈｎ  Ｗｉｌｅｙ＆Ｓｏｎｓ、Ｎｅｗ  Ｙｏｒｋ、１９８０年は、その全体が本明細書に組み込まれる。
【００８０】
好ましい態様では、酵素組成物は、約０．０１重量％〜約４０重量％、約０．０１重量％〜約３０重量％、約０．０１重量％〜約１０重量％、約０．１重量％〜約５重量％、および好ましくは約０．２重量％〜約１重量％の量で固形組成物中に提供される。
【００８１】
実施形態
固形器物洗剤組成物の例示的な範囲を、固形洗剤組成物の重量パーセントで表１に示す。
【表１】
0006955030.tif 000003
【００８２】
固形器物洗浄組成物は、様々な製品形態で提供され得る。本明細書で説明するように、任意の好適な製品形態を使用することができる。好適な製品形態としては、カプセル、錠剤、コーティング錠剤、パック、ブリック、ブロック、およびそれらの組み合わせが挙げられるが、これらに限定されない。好ましい態様では、固形制御放出組成物は、実質的に均質な組成物であり、ブロック、錠剤またはカプセルの形態であり得る。
【００８３】
固形器物洗浄組成物は、例えば、少なくとも約２５グラム、少なくとも約５０グラム、少なくとも約１００グラム、少なくとも約２５０グラム、少なくとも約５００グラム、少なくとも約１０００グラム、またはそれ以上の質量を有する固形物等、様々な製品サイズで提供することができる。固形器物洗浄組成物中の活性成分の濃度は、濃縮固形器物洗浄組成物の希釈率に応じて変化することを理解されたい。有益には、固形洗剤組成物は、使用溶液に直接分配され、濃縮された使用溶液を作り出す。
【００８４】
一態様では、洗剤組成物は、好ましくは、所望の洗浄特性を有する使用溶液を提供する希釈率において固形濃縮物を水で希釈することにより、効果的な清浄化をもたらす。濃縮物を希釈して使用組成物を形成するために使用される水は、希釈水または希釈剤と称され得、場所によって変動し得る。典型的な希釈係数は、およそ１〜およそ１０，０００であるが、水の硬度、除去される汚れの量等の因子に依存するであろう。一実施形態では、濃縮物は、約１：１０〜約１：１０，０００の濃縮物対水の比で希釈される。具体的には、濃縮物は、約１：１００〜約１：５，０００の濃縮物対水の比で希釈される。より具体的には、濃縮物は、約１：２５０〜約１：２，０００の濃縮物対水の比で希釈される。
【００８５】
清浄化システム
一態様では、固形制御放出組成物およびホルダー（図１に示すような）を備える清浄化システムであり、ホルダーは、固形組成物を保持するように構成され、かつ器物洗浄機または食器洗浄機の洗浄槽に固定されるように構成される。ホルダーは、メッシュ、バスケット、ケージ、ネットカートリッジまたはケースを備え得る。有利には、固形制御放出組成物は、従来のディスペンサーを必要としない。図１に描写されるように、例示的なホルダー１０は、器物洗浄機の洗浄槽１２に配置される。洗浄槽１２の一部分は、独立している。ハンガー１４は、ホルダー１０を器物洗浄機の支持体に固定させる。固形制御放出錠剤１６は、ホルダー１０内に置かれる。ホルダー１０は、固形制御放出錠剤１６を支持する任意の好適な形状を有することができる。例えば、ホルダー１０は、底部および側面および開放頂部を有し得る。ホルダー１０は、水が出入りできるように構成されている。例えば、ホルダー１０は、空隙により水がホルダーに出入りできるメッシュから形成されてもよい。使用中、水は、ホルダー１０に入り、固形制御放出錠剤１６と接触し、活性成分の一部分が水に放出されて使用溶液を形成する。使用溶液は、ホルダー１０を離れ、洗浄槽内で器物に接触する。ホルダー１０は、十分な量の水が固形制御放出錠剤１６と接触できるようにしながら、制御放出錠剤１６を支えるように十分強い。
【００８６】
ホルダーは、固形制御放出組成物に取り外し可能または取り外し不可能に取り付けることができる。一例では、ホルダーは、水と組成物の大部分との接触を可能にしつつ、固形制御放出組成物を支えるケージ、バスケット、ネット、カートリッジまたはケースである。別の例では、接着剤により、ホルダーを固形制御放出組成物に取り付けることができる。さらなる例では、制御放出組成物がホルダーの周りに成形される。ホルダーは、水を組成物の大部分に接触させ得るようにし、かつ使用溶液をホルダーから分配できるようにするために、穿孔、穴または空隙を有することができる。ホルダーは、器物洗浄機内で固形制御放出組成物を支える。例えば、接着剤により、ホルダーを器物洗浄機の内側に取り付け得る。追加的に、または代替として、ホルダーは、クリップ、フック、吸引カップ、ひも、ロープまたは他の固定デバイスによって洗浄槽の内側に取り付けられてもよい。器物洗浄機内の構造物を使用して、ホルダーを支えることもできる。例えば、固形制御放出組成物は、機械用ハウジング、または機械設計内の構造に直接固定されてもよい。さらに、固形制御放出組成物は、これらに限定されないが、インサート、ラック、バスケット、食器類、プラスチック製品、調理器具等、器物洗浄機または食器洗浄機に関連する取り外し可能な部品に直接または間接的に保持または固定することができる。
【００８７】
有益なことに、固形制御放出組成物は、組成物の分配を制御するための自動ディスペンサーまたは送達デバイスを必要としない。使用のために、現在の固形制御放出組成物は、サイクルの開始前に洗浄槽に入れることができ、サイクル全体を通して水との接触に利用できる可能性がある。固形制御放出組成物は、完全なサイクルの間、洗浄槽に存在していてもよく、１サイクル以上、２サイクル以上、好ましくは１日分のサイクルで洗浄槽に存在するように配合される。現在の制御放出組成物は、水と接触したときに、固形制御放出組成物中の活性清浄化成分が溶解および分散するように配合されており、このため、固形制御放出組成物は、一つ又は複数の活性成分の分配を制御する自動ディスペンサーまたは送達デバイスを必要としない。
【００８８】
固形制御放出組成物が水と混合するときに、固形制御放出組成物が、固形制御放出組成物の一つ又は複数の活性成分の水性混合物を形成する。有益なことに、活性成分は、ツーインワン洗剤およびすすぎ補助剤組成物をもたらし得る。
【００８９】
使用方法および分配
固形制御放出組成物は、これらに限定されないが、施設用器物洗浄、消費者用食器洗浄、洗濯、ならびに食品用途および飲料用途、硬質表面清浄化、定置清浄化（ＣＩＰ）システム、車両ケア、ヘルスケア等、産業用途および消費者用途の両方に好適であり得る。固形制御放出組成物を使用する方法も提供される。記述を容易にするために、施設用器物洗浄機で使用する場合の固形制御放出組成物について説明する。しかしながら、当業者は、組成物を消費者用食器洗浄機でも使用できることを認識するであろう。
【００９０】
有益には、自動ディスペンサーまたは送達システムでは、洗浄サイクル中等のサイクルの特定の段階中に固形制御放出組成物を分配する必要がない。すなわち、固形制御放出組成物がいつサイクルに追加されるかを制御するシステムまたは機構はない。その代わりに、固形制御放出組成物は、サイクルの開始時（例えば、充填および／または洗浄サイクルの前）に器物洗浄機の洗浄槽内に直接置かれてもよく、サイクル全体にわたって存在していてもよい。固形制御放出組成物は、全サイクルを通して水と接触させるために利用可能であり得る。水と接触すると、固形制御放出組成物は部分的に溶解するか、または消失し、固形制御放出組成物の内容物が、水と混合して水性混合物または水溶液を形成する。例えば、固形制御放出組成物は、洗浄サイクルまたはすすぎサイクルからの水と接触するときに、部分的に溶解するか、または消失する。洗浄またはすすぎサイクルからの水以外の源からの水を固形制御放出組成物に適用して、組成物を部分的に溶解するかもしくは消失させてもよく、または水源の組み合わせを使用してもよい。制御放出固形物は、洗浄槽の水線の上または下に置くことができる。好ましくは、制御放出固形組成物は、洗浄槽内の水線より上に置かれる。
【００９１】
使用溶液は、固形組成物を水源と接触させることにより得られる。使用溶液のｐＨは、十分な洗浄力特性を提供するために、固形構成成分の連続的な制御放出によりアルカリ範囲に維持される。一例では、使用溶液のｐＨは、約７〜約１３である。特に、使用溶液のｐＨは、約９〜約１２である。使用溶液のｐＨが非常に高い場合、例えば１３を超える場合、使用溶液のアルカリ性が非常に高いため、清浄化させる表面を攻撃するか、または損傷させる可能性がある。
【００９２】
固形制御放出組成物は、複数の洗浄サイクルの間にわたって活性成分を放出できる。一例では、固形制御放出組成物は、２回以上の洗浄サイクルの期間で、好ましくは少なくとも２０回の洗浄サイクル、少なくとも２５回の洗浄サイクル以上の期間で、活性成分が放出されるように配合される。活性成分が分散される速度は、固形制御放出組成物の組成の調整、固形制御放出組成物のサイズの増減、水にさらされる表面積の量の変更、洗浄槽内の様々なスペースでの制御固形物放出組成物の位置付け、またはこれらに限定されないが、水温およびサイクル時間等のサイクル設定の調整によって変更され得る。例えば、多糖類材料（または多糖類材料の組み合わせ）の重量パーセントを増やすことで、活性成分が分散する速度が低下する可能性があり、交換が必要になるまでに固形制御放出組成物を使用できる洗浄サイクルの回数が増える。
【００９３】
製造方法
一般に、固形制御放出組成物は、様々な固形物形成方法に従って構成成分を組み合わせて、均質な固形物を提供することにより作製できる。一例では、それらの構成成分の各々が混合され、圧縮されて、固形物の形態になる。小規模産生等の例示的な方法では、固形制御放出錠剤を１０００ｐｓｉで１５〜６０秒間プレスするか、または２０００ｐｓｉで１分間プレスすることができる。固形制御放出組成物の商業生産は、例えば、時間および圧力によって異なり得る。代替的例では、これらの構成成分が混合され、硬化されて固形物の形態になる。固化プロセスは、形成されたか、または鋳造された組成物のサイズ、組成物の成分、および組成物の温度が挙げられるが、これらに限定されない要因に応じて、数秒から約６時間続くことがある。
【００９４】
固形制御放出組成物は、バッチまたは連続混合システムを使用して形成されてもよい。例示的な実施形態では、一軸または二軸スクリュー押出機を使用して、１つ以上の成分を高剪断で組み合わせて、混合して、均質な混合物を形成する。いくつかの実施形態では、プロセス混合物は、形成、プレス、鋳造、押出、または他の好適な手段によって混合物から分配されてもよく、そのときに、組成物がプレスまたは硬化され、固形物形態になる。マトリックスの構造は、その硬度、融点、材料分布、結晶構造、および当該技術分野における既知の方法による他の同様の特性に従って、特徴付けられ得る。概して、加工される固形制御放出組成物は、その質量全体を通して成分の分布に関して実質的に均質であり、かつ寸法的に安定である。本明細書で言及される通り、寸法安定性は、本明細書で概説した、評価された温度条件および時間条件、ならびに評価された大気の周囲湿度において、長さ、高さ、および／または幅（固化方法に依存して、固形洗剤組成物および／または配合物の形状を、分配用に任意の種類のカプセルまたは他の構成成分の任意の型にする）を測定したときに、３％を超える固形組成物の寸法の変化（亀裂および／または膨張による等）を指す。長さ、高さ、および／または幅の平均成長数は、寸法の変化を表す。
【００９５】
「固形物」という用語は、硬化させた固形制御放出組成物が、適度な応力もしくは圧力または単なる重力下で流動することなく、その形状を実質的に保持することを意味する。固形制御放出組成物の硬度は、例えば、コンクリート等の比較的緻密質で硬い溶けた固形生成物の硬度から、硬化されたペーストとして特徴付けられる稠度にわたる範囲であり得る。それに加えて、「固形物」という用語は、固形組成物の予測される貯蔵条件および使用条件下での固形制御放出組成物の状態を指す。概して、固形制御放出組成物は、最大およそ１００°Ｆおよび具体的には最大およそ１２０°Ｆの温度に曝露されるときに、固形形態のままであることが予測され、寸法安定性も保持される。
【００９６】
本明細書における全ての刊行物および特許出願は、本発明が関連する技術分野における通常の技術レベルを示している。全ての刊行物および特許出願は、個々の刊行物または特許出願が参照により組み込まれるように具体的かつ個別に示されているのと同程度に、参照により本明細書に組み込まれる。
【実施例】
【００９７】
本発明の実施形態を、以下の非限定的な実施例においてさらに定義する。これらの実施例は、本発明の特定の実施形態を示してはいるが、単に例証として付与されることが理解されるべきである。上記の考察およびこれらの実施例から、当業者は、本発明の本質的な特徴を確認し得、その精神および範囲から逸脱することなく、様々な利用法および条件にそれを適合するために本発明の実施形態の様々な変更および修正を行い得る。したがって、本発明の実施形態の様々な修正は、本明細書に図示および説明されるものに加えて、前述の説明から当業者に明らかとなろう。かかる修正もまた、添付の特許請求の範囲の範疇であることが意図される。
【００９８】
実施例１
多糖類材料が炭酸塩ベースの洗剤の放出を制御する能力について、様々な固形炭酸塩ベースの洗剤組成物を評価した。この例では、長鎖多糖類、具体的にはカルボキシメチルセルロースナトリウム（ＣＭＣ）の、食器洗浄機の洗浄室に配置された灰ベースの洗剤ブロックの溶解度を低下させる能力について評価した。表２の配合物は、様々な濃度で評価された多糖類材料としての炭酸塩固形物とカルボキシメチルセルロースとの組み合わせを示す。液体プレミックスは、個別のユニットとして作製され、混合物として固形構成成分に添加された。
【表２】
0006955030.tif 000004
【００９９】
表２の配合を使用して、５０グラムの圧縮錠剤を製造した。各錠剤について、５０ｇの混合物を予め作製された金型に加えた。粉末を金型内において１０００ＰＳＩで２０秒間圧縮した。錠剤を金型から取り出し、少なくとも２４時間後に試験するまで室温で貯蔵した。
【０１００】
２０％まで濃度を上昇させて、多糖類材料ナトリウムＣＭＣの代わりに、重灰の部分を含む市販の器物洗浄洗剤の圧縮錠剤を評価した。錠剤は、食器洗浄機において、錠剤が目に見えて溶解するまでに何サイクル要したかを調べるためにテストした。錠剤は、図１に示すように、マシン洗浄区画の側面にある油受皿（ｓｕｍｐ）上の小さいスクリーン付きの筐体に保持させた。サイクル０で錠剤を筐体に入れ、各洗浄サイクルの間に３０秒間隔で連続的に洗浄した。各錠剤のサイクル数は、錠剤が目に見えて完全に溶解し、筐体内に存在しなくなるまでに完了したサイクルの数とみなした。テスト条件は、次の通りである：
マシン：Ｈｏｂａｒｔ  ＡＭ−１５
洗浄温度：１５５〜１６０ｏＦ
すすぎ温度：１８０〜１９０ｏＦ
洗浄時間長：４５秒
すすぎ時間長：１０秒
【０１０１】
図２に示すように、ナトリウムＣＭＣの含有は、錠剤がすべて溶解するまでのサイクルの総数に対して正の相関関係を示した。これは、ＣＭＣが配合物に添加された結果として、錠剤の耐用寿命を有益に示すものである。ＣＭＣを含むすべての配合物は、対照（非ＣＭＣ）と比較して、総サイクル数の増加を示した。
【０１０２】
実施例２
多糖類材料が炭酸塩ベースの洗剤の放出を制御する能力について、実施例１の方法および条件に従って、追加の固形炭酸塩ベースの洗剤組成物を評価した。この例では、食器機の洗浄室内に配置した灰ベースの洗剤ブロックの安定性を高め、溶解性を低下させる能力について、長鎖多糖類、具体的にはナトリウムカルボキシメチルセルロース（ＣＭＣ）をＳＴＰＰ非含有配合物中で評価した。表３の配合物は、様々な濃度で評価された多糖類材料として、炭酸塩固形物とカルボキシメチルセルロースを組み合わせた追加の配合物を示す。
【表３】
0006955030.tif 000005
【０１０３】
評価された固形組成物は、実施例１で評価されたものと比較して、より高い灰分および高い液体含有量を有する。結果は図３に示されており、これは図２と一致し、サイクル数が増えていることを示しており、ＣＭＣを含まない配合物と比較して、ＣＭＣ含有量の増加が観察され、かつ錠剤の耐用寿命を実証するものである。
【０１０４】
連続洗浄サイクル後の錠剤の溶解度も、ＣＭＣを追加して、錠剤が完全に乾燥した後の重量損失パーセントを記録することにより、研究した。図４に見られるように、ＣＭＣの固形配合物への添加は、各洗浄サイクル中に放出される固形物の量を著しく減少させることにより、より長い寿命に寄与する。
【０１０５】
実施例３
多糖類材料が炭酸塩ベースの洗剤の放出を制御する能力について、実施形態による追加の固形炭酸塩ベースの洗剤組成物が、実施例１の方法および条件に従って評価された。この実施例では、食器機の洗浄室に配置された灰ベースの洗剤ブロックの溶解度を低下させる能力について、キサンタンガムをＳＴＰＰ非含有配合物中で評価した。表４の配合物は、様々な濃度で評価された多糖類材料として、炭酸塩固形物とキサンタンガムとを組み合わせた追加の配合物を示す。
【表４】
0006955030.tif 000006
【０１０６】
制御放出剤用の多糖類材料としてキサンタンガムを使用した結果を図５および図６に示す。錠剤の寿命（耐用寿命とも称される）の有益な延長は、ビルダーの一部分（重灰）をキサンタンガムで最大１０％置き換えることにより観察された。
【０１０７】
実施例４
固形制御放出組成物を査定するために、固形物安定性および膨潤試験を実施した。環境にさらされると、固形組成物の安定性が影響を受け、性能および包装／貯蔵の両方に問題が引き起こされ得ることが知られている。ＣＭＣ／キサンタンガムの安定性を査定するために、固形制御放出組成物１０配合物は、室温、１００°Ｆ（３７．７℃）、および１２２°Ｆ（５０℃）で１週間貯蔵した。配合物は、ジップロック容器に密封されているため、湿度は直接関係しなかった。１週間後、寸法の変化（高さ／幅）が計算され、３％を超える変化は、寸法安定性に欠けるため失敗と見なされる。本明細書で言及されるとおり、寸法安定性は、本明細書で概説した、評価された温度条件および時間条件、ならびに評価された大気の周囲湿度において、長さ、高さ、および幅を測定したときに、３％を超える固形組成物の寸法の変化（亀裂および／または膨張による等）を指す。長さ、高さ、および幅の平均成長数は、寸法の変化を表す。
【０１０８】
この結果により、ＣＭＣ濃度が固形物内で上昇すると、膨潤速度も上昇し、したがって寸法安定性が低下することが確認された。室温においてさえ、膨張は、ＣＭＣの１５重量％を超えて、しきい値３％に達した。１２２°Ｆ（５０℃）では、固形物は、ＣＭＣの６重量％を超えて、しきい値３％に達することが観察された。キサンタンガムを制御放出構成成分として使用した場合、有意な膨張（＞３％）は観察されなかった。有益なことに、これは、キサンタンガムが固形物の放出を制御するための理想的な作用物質であることを示すが、キサンタンガムが増加すると、錠剤は洗浄中に分配されるにつれてますます溶解しにくくなる。これにより、結果として、分配室（ｄｉｓｐｅｎｓｅ  ｃｈａｍｂｅｒ）に小さい（＜３ｇ）不溶性部分が残存することが多くある。有益なことに、これはＣＭＣ配合では観察されなかった。ＣＭＣは、再付着防止剤として、特にタンパク質に対して、清浄化性能の向上をもたらし得る。これらの結果は、固形制御放出組成物については、セルロース多糖類をキサンタンガムと組み合わせることが好ましいことも示している。
【０１０９】
実施例５
追加の多糖類およびセルロース誘導体、すなわち分岐鎖多糖類を評価した。評価された材料としては、灰分対照（多糖類なし）、ＣＭＣ（サンプルＡ；サンプルＢ）、グアー誘導体、ヒドロキシエチルセルロース（ＨＥＣナトロソルサンプルＡ；ＨＥＣセロサイズサンプルＢ）、およびキサンタンガムが挙げられる。粘度および置換度（ＤＳ）に基づいて評価されたＣＭＣとＨＥＣのサンプル間の特徴を表５に示す。
【表５】
0006955030.tif 000007
【０１１０】
図７は、多糖類材料の５％および１０％で評価された多糖類およびセルロース誘導体の評価を示し、それらを標準の灰配合（多糖類なしと表示）の分配速度（すべて溶解するまでのサイクル数）と比較する。示されているように、ＨＥＣ材料は１５０を超えるサイクルを実証し、追加の種類のセルロース誘導体を提供し、それにより、制御放出プロファイルから錠剤の性能を向上させる。示されているように、ＣＭＣおよびＨＥＣサンプルでは、錠剤の耐用寿命が大幅に延長されていることが呈された。これは、固形洗剤組成物の制御放出を提供するのに有益であり得る。
【０１１１】
実施例６
実施例１〜５に記載されているように、均質な制御放出錠剤の様々な最大洗剤濃度は、洗剤溶解速度により制限される。錠剤が次の二相からなる追加の錠剤を評価した。第１の相は、一つ又は複数の多糖類材料（例えば、ＣＭＣおよび／またはキサンタン）を含む洗剤組成物で構成される制御放出部分であり、第２の相は、一つ又は複数の放出の遅い多糖類材料を含まない洗剤組成物で構成される。これらの２つの組成物は、別々に混合され、錠剤が形成されるまで組み合わされず、２つの別個の部位を作製するために別々に添加される。最初の試行では、基本的な灰部分が５〜７サイクル以内に溶解することが実証されたが、制御放出部分は、食器洗浄機でさらに１０サイクル（全体で１７）分配し続けた。
【０１１２】
有益なことに、二相制御放出組成物では、制御放出製品を単一の固形物形態で包装できる。この配合では、使用者が安全および／または分配の観点から組成物に触れるまたは接触する必要がなく、すなわち、食器洗浄機において、毎日の操作中に、空にすることおよび補充することを繰り返す必要がないことが有益である。さらに、二相錠剤は、長持ちするという洗剤錠剤の有利点をもたらす。これは、一つ又は複数の多糖類を含まない錠剤相が急速に溶解することから、最初の数サイクルの間に、放出される洗剤の量が増加し、その結果、食器洗浄操作の開始時に、食器洗浄機内で、最適化された開始洗剤濃度となるためである。洗剤の濃度は、錠剤の制御放出部分からの制御された洗剤の放出により、長期にわたって維持される。
【０１１３】
評価された配合物を表６に示す。
【表６】
0006955030.tif 000008
【０１１４】
図８には、単相制御放出錠剤および二相制御放出錠剤についての、器物洗浄機内での使用溶液の平均伝導率を、器物洗浄サイクルの数に対して示す。伝導率は、使用溶液中で放出される洗剤の量と直線的に相関するため、このグラフは、濃度、したがって使用溶液中の活性洗剤濃度が、急速に上昇しており、かつ単相制御放出錠剤よりも高い最大濃度に達したことを実証している。図９は、様々なサイクルでの二相錠剤の溶解の画像であり、二相錠剤の両側面が撮影されている（上：制御放出；下：急速溶解相）。二相錠剤の両側面を撮影したものであり、片側（多糖類材料なし−「急速溶解相」）が完全に崩壊しており、制御放出部分は、１１サイクル後も取り込まれたままであることを示す。
【０１１５】
実施例７
多糖類材料が炭酸塩ベースの洗剤の放出を制御する能力について、実施例１の方法および条件に従って、追加の固形炭酸塩ベースの洗剤組成物を評価した。この例では、食器機の洗浄室内に配置した固形炭酸塩ベースの洗剤ブロックの安定性を高め、溶解性を低下させる能力について、長鎖多糖類、具体的にはナトリウムカルボキシメチルセルロース（ＣＭＣ）をＳＴＰＰ含有配合物中で評価した。様々な濃度で評価を行った多糖類材料として、カルボキシメチルセルロース（ＣＭＣ）を含む炭酸塩固形物の配合物を、キサンタン多糖類材料と比較した。
【０１１６】
評価した固形組成物は、０％から２０％まで上昇させる、より高い濃度の多糖類材料を有する。これらの結果を図１０に示し、図６に示したキサンタンデータと比較したＣＭＣ多糖類を示す（前述）。この図は、炭酸塩ベースの配合物に含まれる多糖類の量が異なる錠剤について、錠剤の質量の変化（重量％）対サイクルを示す。有益なことに、このデータは、２つの異なる多糖類材料を使用することで、固形配合物の放出プロファイルを遅らせることができることを示す。
【０１１７】
実施例９
追加の固形炭酸塩ベースの洗剤組成物を、本組成物の実施形態、ならびにＤＳおよび粘度を変化させたそれらの溶解速度に従って評価した。表７の配合物を使用して、表８に示すように、ＤＳを０．７から１．３に、粘度を約１ｃＰから約３５００ｍＰａ（ｃＰに相当）に変化させて、いくつかのＣＭＣ多糖類材料を評価した。追加の活性成分としては、界面活性剤およびポリマー材料が挙げられる（評価されたすべての配合物においていずれも一致）。
【表７】
0006955030.tif 000009
【表８】
0006955030.tif 000010
【０１１８】
結果を図１１に示す。各円のサイズおよび表示は、配合物組成の１０％のＣＭＣが含まれる場合の、５０ｇ錠剤から得られるサイクル数に相関する。このデータは、置換度および粘度の両方が錠剤の寿命（または、錠剤の耐用寿命および複数のサイクルでの投与能力）に与える影響を示している。
【０１１９】
本発明はこのように説明されているが、これは多くの方法で変動し得ることは明らかであろう。かかる変動は、本発明の精神および範囲からの逸脱とみなされるべきではなく、全てのかかる修正は、以下の特許請求の範囲の範疇に含まれることが意図される。上記の明細書は、開示される組成物および方法の製造および使用の説明を提供する。本発明の趣旨および範囲から逸脱することなく多くの実施形態が作られ得るため、本発明は、特許請求の範囲の中にある。以下の項目［１］〜［２４］に、本発明の実施形態の例を列記する。
［１］
器物を清浄化するための固形制御放出組成物であって、
炭酸塩アルカリ性源と、
前記組成物の約２０重量％未満を構成する少なくとも１つの多糖類材料と、
活性成分清浄化剤と、を含み、
前記固形物が、少なくとも５０グラムの質量を有する均質な複数回使用組成物であり、遅延放出化学物質により被包されていない、組成物。
［２］
前記炭酸塩アルカリ性源が、アルカリ金属炭酸塩である、項目１に記載の組成物。
［３］
前記アルカリ金属炭酸塩アルカリ性源が、炭酸ナトリウムである、項目２に記載の組成物。
［４］
前記少なくとも１つの多糖類材料が、前記組成物の約１５重量％未満を構成する、項目１〜３のいずれか一項に記載の組成物。
［５］
前記少なくとも１つの多糖類材料が、低、中、または高分子量の多糖類であり、及び／又は前記多糖類材料の約１重量％〜約２重量％水溶液粘度（２５℃）の溶液粘度が約１〜約５０００ｃｐｓであり、及び／又は前記多糖類材料の置換度（Ｄ．Ｓ．）が約０〜約３であり、及び／又は前記多糖類材料の重合度が約２００〜約１５，０００である、項目１〜５のいずれか一項に記載の組成物。
［６］
前記多糖類材料の前記Ｄ．Ｓ．が、カルボキシメチル、メチル、エチル、ヒドロキシエチル、ヒドロキシプロピル、ヒドロキシプロピルメチル、アセテート、トリアセテート、アセテート−プロピオネート、および／またはアセテート−ブチレートの一つ又は複数の基で置換されたセルロース分子のグルコース単位の数によって測定される、項目５に記載の組成物。
［７］
前記多糖類材料が、カルボキシメチルセルロース（ＣＭＣ）、ヒドロキシエチルセルロース（ＨＥＣ）、ヒドロキシプロピルセルロース（ＨＰＣ）、ヒドロキシプロピルメチルセルロース（ＨＰＭＣ）、メチルセルロース（ＭＣ）、酢酸セルロース、三酢酸セルロース、キサンタン、およびそれらの組み合わせのうちの一つ又は複数である、項目１〜６のいずれか一項に記載の組成物。
［８］
前記多糖類材料が、カルボキシメチルセルロース（ＣＭＣ）および／またはキサンタンを含む、項目１〜７のいずれか一項に記載の組成物。
［９］
カルボキシメチルセルロース（ＣＭＣ）とキサンタンの比が、約１：１〜約３０：１である、項目８に記載の組成物。
［１０］
前記活性成分清浄化剤が、界面活性剤である、項目１〜９のいずれか一項に記載の組成物。
［１１］
前記界面活性剤が、非イオン性界面活性剤である、項目１０に記載の組成物。
［１２］
前記固形制御放出組成物が、少なくとも１００グラムの質量を有する複数回使用組成物である、項目１〜１１のいずれか一項に記載の組成物。
［１３］
前記固形制御放出組成物が、カプセル、錠剤、コーティング錠剤、パック、ブリックまたはブロックであり、前記固形制御放出組成物は、前記固形組成物を交換することなく少なくとも２４時間器物の洗浄を提供する複数回使用組成物である、項目１〜１２のいずれか一項に記載の組成物。
［１４］
前記炭酸塩アルカリ性源は、前記固形組成物の約４０重量％〜約９５重量％を構成し、前記多糖類材料は、前記固形組成物の約０．０１重量％〜約４０重量％を構成し、前記活性成分清浄化剤は、前記固形組成物の約０．１重量％〜約４０重量％を構成し、かつ任意で、約０．１重量％〜約５０重量％の追加の機能性成分をさらに含み、前記追加の機能性成分は、消泡剤、再付着防止剤、スケール防止剤、漂白剤、溶解度調整剤、分散剤、金属保護剤、安定剤、腐食防止剤、追加の金属イオン封鎖剤および／またはキレート剤、しきい値抑制剤、結晶調整剤、香料および／または染料、ハイドロトロープまたはカプラー、緩衝液、及び溶媒のうちの一つ又は複数であり、任意に、前記組成物はリン酸塩を含まない、項目１〜１３のいずれか一項に記載の組成物。
［１５］
前記固形組成物は、二相固形物であり、第１の相は、前記多糖材料、炭酸塩アルカリ性源、および活性成分清浄化剤を含む均質な固形物であり、前記第２の相は、前記炭酸塩アルカリ性源および活性成分清浄化剤を含む均質な固形物である、項目１〜１４のいずれか一項に記載の組成物。
［１６］
前記第１の相および／または前記第２の相は、追加の機能性成分をさらに含む、項目１５に記載の組成物。
［１７］
重量基準での前記第１の相と前記第２の相の比は、約１０：１〜約１：１０である、項目１５または１６に記載の組成物。
［１８］
項目１〜１７のいずれか一項に記載の固形制御放出組成物を分配する方法であって、
前記固形組成物を水源と接触させて、前記組成物の使用溶液を生成することと、
汚れを除去および／または可溶化するのに十分な時間、約７〜約１３のｐＨで器物を前記使用溶液と接触させることと、を含む、方法。
［１９］
自動食器洗浄環境で器物を清浄化するためのシステムであって、
前記システムは固形制御放出組成物を含み、前記固形制御放出組成物は、炭酸塩アルカリ性源と、前記組成物の約２０重量％未満を構成する少なくとも１つの多糖類材料と、界面活性剤とを含み、
前記固形組成物は、単一の固形組成物中に洗剤およびすすぎ助剤が提供されている均質な２−イン−１組成物であり、前記固形物は、少なくとも５０グラムの質量を有する複数回使用組成物であり、前記固形物は、遅延放出化学物質で被包されておらず、
前記システムは、分配システムを含んでいない、システム。
［２０］
前記固形制御放出組成物が、カプセル、錠剤、コーティング錠、パック、ブリックまたはブロックである、項目１９に記載のシステム。
［２１］
前記炭酸塩アルカリ性源は、アルカリ金属炭酸塩であり、前記多糖類材料は、カルボキシメチルセルロース（ＣＭＣ）、ヒドロキシエチルセルロース（ＨＥＣ）、ヒドロキシプロピルセルロース（ＨＰＣ）、ヒドロキシプロピルメチルセルロース（ＨＰＭＣ）、メチルセルロース（ＭＣ）、酢酸セルロース、三酢酸セルロース、およびキサンタンのうちの一つ又は複数を含み、前記活性成分は、非イオン性界面活性剤、キレート剤および／または酵素である、項目１９または２０に記載のシステム。
［２２］
前記多糖類材料が、カルボキシメチルセルロース（ＣＭＣ）およびキサンタンを含み、カルボキシメチルセルロース（ＣＭＣ）とキサンタンとの比が、約１：１〜約３０：１である、項目２１に記載のシステム。
［２３］
前記少なくとも１つの多糖類材料が、前記組成物の約１５重量％未満を構成する、項目１９〜２２のいずれか一項に記載のシステム。
［２４］
前記固形組成物が、圧縮固形物であり、前記自動食器洗浄環境は、消費者用または商業用食器洗浄機である、項目１９〜２３のいずれか一項に記載のシステム。
【図１】
0006955030.tif 000011
【図２】
0006955030.tif 000012
【図３】
0006955030.tif 000013
【図４】
0006955030.tif 000014
【図５】
0006955030.tif 000015
【図６】
0006955030.tif 000016
【図７】
0006955030.tif 000017
【図８】
0006955030.tif 000018
【図９】
0006955030.tif 000019
【図１０】
0006955030.tif 000020
【図１１】
0006955030.tif 000021